(57)【要約】      （修正有）【課題】従来の収納部付クリスマスリースや壁掛け型植物生育器具や収納部付リースは、収納部や収容体や収容ボックスとしての一定形状の安定が保たれ、かつ被収納物や収容物を収納部や収容体に収納しての使用時に型崩れしない硬度の容器として形成してなる為、元となる型（金型、鋳型等）を必要とし非常にコストがかかる上、被収納物が収納部に収納されているか否かに関わらず収納部や収容体としての一定形状の空間を有し必要とした。【解決手段】クリスマスリース又はハロウィーンリース等の装飾用リースを、可撓性を有するシート部材で側部分を製された袋体１１１ｄと、前記袋体１１１ｄを保持するための保持体１１１ｃを備えて、前記袋体１１１ｄの内部を被収納物を収納可能な収納部とし、前記保持体１１１ｃは少なくともその一部に前記袋体１１１ｄを所望の略環状に直接保持する保持本体部分１１１ｅを設けた収納部付装飾用リース１１１とした。【選択図】図１−２
2015202224.tif 000002
【特許請求の範囲】
【請求項１】
クリスマスリース又はハロウィーンリース等の装飾用リースを、可撓性を有するシート
部材で側部分を製された袋体と、前記袋体を保持するための保持体を備えて、前記袋体の
内部を被収納物を収納可能な収納部とし、前記保持体は少なくともその一部に前記袋体を
直接保持する保持本体部分を設けた任意形状とし、前記保持本体部分は前記収納部に被収
納物を収納した状態で前記袋体を前記保持体に装着した状態において前記袋体の全体形状
が装飾用リースのリング部としての所望の略環状に装着し保持できる位置に設けられてお
り、前記袋体と前記保持体は互いに接合されているか、又は、前記袋体と前記保持体を互
いに着脱もしくは分離可能に取り付ける取付手段を前記袋体もしくは保持体の少なくとも
一方に設け又は別体の部材として設けたことにより、前記袋体と前記保持体を互いに着脱
もしくは分離可能としたことを特徴とした、収納部付装飾用リース。
【請求項２】
前記保持体のうち少なくとも一部を透明部材により構成したことを特徴とした、請求項
１に記載の収納部付装飾用リース。
【請求項３】
前記袋体の前記収納部内の被収納物に応じて、前記袋体の適宜箇所に、前記袋体の側部
分を構成している前記可撓性を有するシート部材どうしを部分的に接合することにより接
合部を設け、前記収納部内の被収納物の一方向への移動や偏りを防ぎバランスよく収納を
成し得たことを特徴とした、請求項１又は請求項２に記載の収納部付装飾用リース。
【請求項４】
前記保持本体部分に、前記袋体を略環状に装着する為の案内棒としての突起を設けたこ
とを特徴とした、請求項１から請求項３のうちいずれかに記載の収納部付装飾用リース。
【請求項５】
前記保持本体部分に、前記袋体を略環状に装着する為の案内孔を設けたことを特徴とし
た、請求項１から請求項４のうちいずれかに記載の収納部付装飾用リース。
【請求項６】
前記保持体を分離又は着脱が可能な手段を設けた二つ以上の部材により構成したことを
特徴とした請求項１から請求項５のうちいずれかに記載の収納部付装飾用リース。
【請求項７】
前記袋体の側部分の全体形状が長尺状であって内部を被収納物を収納可能な収納部とし
た袋体として製し、前記保持体もしくは保持本体部分を、前記長尺状とした袋体を装着す
る際の袋体に対しての芯部として利用可能とするために、前記保持体もしくは保持本体部
分の全体形状を周方向に略環状に形成し、前記長尺状とした袋体の前記収納部に被収納物
を収納した状態で、前記略環状とした保持体もしくは保持本体部分全体を芯部として前記
長尺状とした袋体を螺旋状に巻き付けてゆき、前記略環状とした保持体もしくは保持本体
部分全体に装着したことにより、装着した状態において前記長尺状とした袋体の全体形状
が装飾用リースのリング部としての所望の略環状となるように装着したことを特徴とした
、請求項１から請求項６のうちいずれかに記載の収納部付装飾用リース。
【請求項８】
前記保持体又は前記取付手段、としての部材のうち少なくとも一部を、クリスマスリー
ス又はハロウィーンリース等の年中歳事に使用する装飾用リースに適した任意の形状に具
象化し成形したことにより、前記袋体を前記保持体に装着した状態において、又は、前記
袋体を前記保持体より取り外した状態において、前記保持体又は前記取付手段としての部
材それ自体がクリスマス又はハロウィーン等年中歳事のオーナメントとしても利用可能と
したことを特徴とする請求項１から請求項７のいずれかに記載の収納部付装飾用リース。
【請求項９】
前記袋体と前記保持体とを備えた収納部付装飾用リースを製作するための請求項１から
請求項８のうちいずれかに記載の製作キット。
【発明の詳細な説明】
【技術分野】
【０００１】
本発明は、クリスマスやハロウィーンの他、ひな祭り、正月、誕生日等年中歳事に関す
る装飾用リースに関するものである。
【背景技術】
【０００２】
従来のクリスマスリースを構成するリング部を中空胴体とし、前記リング部の内部を被
収納物を収納する収納部とした収納部付クリスマスリースがある。（特許文献１参照）
又、ドーナツリング状の壁掛け型の収容体と、着脱自在に収容するように設けられた複
数の植物収容ボックスを備えた壁掛け型植物リース生育器具がある。（特許文献２参照）
更に、クリスマスリース又はハロウィーンリースを構成するリング部を中空胴体の収納
部とし、リング部内側の面に突起部を設けた収納部付リースがある。（特許文献３参照）
【先行技術文献】
【特許文献】
【０００３】
【特許文献１】特許第３９７６１７５号公報
【特許文献２】特開２０００−３２５１９９号公報
【特許文献３】特許第４９５０３２８号公報
【発明の概要】
【発明が解決しようとする課題】
【０００４】
従来の特許文献１における収納部付クリスマスリースについては、使用時に中空胴体と
した収納部内に被収納物を入れた状態で円環状としたリング部の形状を保つために、リン
グ部を構成する材質にある程度の硬さを必要とした。特許文献２におけるドーナツリング
状の壁掛け型の収容体と、着脱自在に収容するように設けられた複数の植物収容ボックス
を備えたものは、植物を生育しそれを鑑賞する為に必要な植物はもちろんのこと土や肥料
や水分、又は水分を含ませた土や肥料、吸水保水シート等の重さに耐えうるだけの、硬さ
や堅ろうさと、液体や肥料やりに対応できる型崩れしない材質により作成される必要があ
る。特許文献３における収納部付リースについても、収納部に被収納物を入れての使用時
に型崩れせずに当然リング部としての略環状の形状を保つことが可能な程度の硬さの材質
により収納部の中空胴体としての形状を決定し作成される必要があった。
【０００５】
特許文献１、特許文献２、特許文献３における従来技術は、それぞれリング部を形作り
或いは構成している主な材質を、それ自体で初めから収納部や収容体や収容ボックスとし
ての一定形状の空間を有するリング部としての形状の安定が保たれ、かつ被収納物や収容
物を収納部や収容体に収納しての使用時に型崩れしない容器として作成される必要があり
、合成樹脂材やアルミ材、スチール材、パルプ材等の材質により、ある程度の硬さと厚み
を有し、被収納物を入れても型崩れしない硬度に成形し、リング部としての形状を保持す
るように形成する。その為に、その製造過程においてリング部を形成する元となる型（金
型、鋳型等）を必要とする場合がほとんどで、型の作成やその為の設備にコストが多くか
かり、よほど大量に生産販売しなければ採算がとれない上、被収納物の条件に合わせてそ
の都度型を変更し作成するとコストがかかり過ぎた。更に収納部や収容体としての一定形
状の空間を有し必要とするものである為、その保管場所に圧倒的なスペースを必要とし保
管場所自体にコストがかかる為在庫を多く作れないという欠点があった。本発明は、型（
金型、鋳型）を必要とする割合を少なくし、或いは全く必要とせずに、収納部付装飾用リ
ースを作成することを目的とし、更に、収納部の形状や大きさの変更が容易に可能で、コ
ストも安く製造可能な収納部付装飾用リースであって、かつ被収納物を入れて出荷するま
での保管場所を少なくしかさばることなく場所を取らずに保管出来る構造の製品とする。
【課題を解決するための手段】
【０００６】
（請求項１）
クリスマスリース又はハロウィーンリース等の装飾用リースにおいて、可撓性を有する
シート部材で側部分を製された袋体と、前記袋体を略環状に保持するための保持体を備え
て、前記袋体の内部を被収納物を収納可能な収納部とし、前記保持体は少なくともその一
部に前記袋体を直接保持する保持本体部分を設けた任意形状とし、前記保持本体部分は前
記収納部に被収納物を収納した状態で前記袋体を前記保持体に装着した状態において前記
袋体の全体形状が装飾用リースのリング部としての所望の略環状に装着し保持できる位置
に設けられており、前記保持本体部分を利用し前記袋体をその全体形状が略環状となるよ
うに装着し、前記袋体と保持体は互いに接合されているか、又は、前記袋体と前記保持体
を互いに着脱もしくは分離可能とするための手段を前記袋体もしくは前記保持体の少なく
とも一方に、又は別体の部材として設けたことにより前記袋体と前記保持体を着脱もしく
は分離可能としたことを特徴とした、収納部付装飾用リースを作成する。
ここでいう可撓性を有するシート部材とは、例えば、布材であったり、柔らかな性質の
ナイロンやビニール等の合成樹脂材であったり、不織布や紙材によるシート素材等を示し
、無理に力を加えたり押したりしなくとも自然に撓む程度のシート部材であって縫合や圧
着、熱溶着や接着等の手段を用いて袋体（袋状）に作成可能な程度の厚みや柔らかさの可
撓性を有するシート部材であれば、特にその材質については限定されるものではない。つ
まり、布材、紙材、不織布、合成樹脂材等による軟質のシート素材を使用し、これらの材
質のうち二種類以上を組み合わせてもよく、自由に好きな形状の袋体に作成出来たり小さ
く折りたたむことが可能な撓む性質を有するシート部材であって、比較的細々とした小型
の菓子類や雑貨等を複数個詰めて入れる袋体を作成するのに好適な可撓性を有するシート
部材とする。更に、上記に示した材質による前記可撓性を有するシート部材が、伸縮性や
通気性や透明性を有するシート部材であってもよい。伸び縮みする特性のあるメッシュ材
のシート部材が適度に透けてみえた場合、ある程度の透明性も有することとなり、伸縮性
、通気性、透明性の三つの特性を併せ持った可撓性を有するシート部材となる。ここでい
う透明性とは、全く無色透明でなくともよいこととし、収納部内の被収納物がある程度透
けてみえる程度の透明性であればよく、先程述べたメッシュ材の他、着色や模様がある程
度付いてもよい。以上に述べた可撓性を有するシート部材で、収納部を擁する袋体の側部
分を製するということは、例えば、従来の収納部付クリスマスリースや収納部付ハロウィ
ーンリースを合成樹脂材等により周方向に略環状の中空胴体として形成することにより収
納部を構成してなるリング部の外側にもう一枚更に被せてなるカバー体や、前記リング部
外側表面に貼り付けたシート部材や、具備されてなる装飾用のオーナメントやリボン等を
指すのではなく、収納部を直接構成している袋体の側そのものに可撓性を有するシート部
材を直接使用し、本発明の収納部付装飾用リースを作成するということであり、可撓性を
有する前記シート部材が基本的に直接収納部を擁している袋体の側部分を構成していなけ
ればならない。ただし、ファスナー等の部分的な付属品はこの限りではない。
【０００７】
前記可撓性を有するシート部材により側部分を製された袋体及び袋体内部に設けた収納
部の形状及び形態や作成方法については、前記袋体の内部を被収納物を収納可能な収納部
とし、前記保持本体部分を利用し前記収納部に被収納物を入れた状態で前記袋体をその全
体形状が略環状となるように装着することが可能な袋体であればどのような形状や形態の
袋体としてもよいが、例えば袋体の側部分の全体形状がはじめから周方向に略環状であっ
てその内部を被収納物を収納する収納部として作成してもよい。収納部を周方向に略環状
の袋体として製する場合、可撓性を有するシート部材を二枚重ね合わせたうえで、略環状
の袋体の全体形状を形どった、略環状の外周縁と略環状の内周縁を切り抜き、切り抜いた
二枚のシート部材の外周縁どうしと内周縁どうしをそれぞれ、縫着や、熱溶着、接着剤等
の手段により互いにくっつけて略環状の袋体として作成するとともに被収納物を収納部に
収めてもよい。或いは、可撓性を有するシート部材を、まず帯状に裁断し、前記帯状に裁
断したシート部材を使用し長尺状の袋体に作成し、長手方向の一方端と他方端を互いに接
続し略環状の袋体としてもよい。前記長尺状の袋体の、長手方向における一方端と他方端
は、被収納物を収納すると同時に閉塞したのち一方端と他方端を接続しても、又は一方端
と他方端を両方共開口部として作成し、被収納物を収納したのち一方端と他方端の開口部
どうしを互いに縫い合わせる等して接続することにより開口部を封じ略環状の袋体として
しても、前記一方端と他方端のうちどちらか一方を閉塞し他方を開閉自在な開口部として
もよい。被収納物の出し入れ可能な開口部や開閉可能な部分は別の所に設けてもよい。又
、この他の方法により袋体の側部分や収納部の全体形状を略環状に作成してもよい。
【０００８】
尚、いわゆる箱体や容器としてある程度硬質の材質でもってはじめから一定の形状に形
作られており、使用時においてもそれ自体で常に一定の形状を保つことが可能なものであ
って、保持体があってもなくとも又は被収納物を収納してもしなくとも一定形状の空間を
有した収納部を擁する箱体や容器としてその形状が変化せず常に一定形状のものについて
はここでは袋体としては含まないこととし、蛇腹体についても、使用時において蛇腹体と
しての一定形状の収納部としての空間を被収納物のあるなしに関わらず常に保つことがで
きればここでは含まれないこととする。本発明の袋体とは、被収納物が入っていない場合
袋体は常に一定の定まった形状の収納部としての空間を有せずともよく、被収納物を収納
部に収納することで袋体の形状が変化したり膨らみを持つものであって、袋体の側部分の
全体形状をはじめから略環状に作成したものであったとしても、被収納物を入れるまでは
単にシート部材を重ねて縫い合わせてある状態で常に定まった膨らみや一定形状はなく重
ねてコンパクトに折りたたみが可能な、比較的柔らかな性質の可撓性を有するシート部材
により構成された袋体とする。又、前記袋体は、保持本体部分を利用し装着した全体形状
が略環状でありさえすればよいこととし、袋体を保持本体部分に沿って複数個連ねて装着
したその全体形状を略環状としてもよく、袋体の数は特には限定しない。略環状の袋体を
、周方向に一連以上、例えば、二連や三連に連なって、つまり複数の周方向に連なる袋体
として設けてもよい。ただし、例えば、キャンディやチョコレート、クッキー等を直接包
んでいる包み紙や個別包装の袋に相当するようなものは、ここでは収納部を擁する袋体と
しては含まれないこととする。つまり、個々のキャンディやチョコレート、クッキーや細
々したおもちゃや雑貨等の被収納物を複数個まとめて収納可能な袋体とする。
【０００９】
保持本体部分を含めた保持体の形状については、基本的には、収納部付装飾用リースの
保持体として、前記可撓性を有するシート部材により製された前記袋体内部の収納部に被
収納物を収納した状態で前記袋体を略環状に装着しその状態を保持することができるもの
であれば任意形状としてどのような形状や形態の保持体であってもよく、その形状につい
ては特に限定しない。例えば、合成樹脂材や紙材や木材等を使用し平面や凹凸のある面や
湾曲した面のプレート状に作成したり、球形状やサイコロ形等の立方体に作成されていて
も、ハリガネ等の細長部材でメッシュ状や隙間のある枠体に形成されていてもよい。
保持体の少なくとも一部には、前記袋体を直接保持する保持本体部分があるものとして
、前記保持本体部分は、保持体の少なくとも一部を構成しており、保持体のどの部分に設
けられていてもよいが、保持体に前記袋体を装着した状態において、前記袋体の全体形状
が略環状となる位置において設けられていればよく、一般的には保持本体部分は任意形状
とした保持体全体の形状に対して相対的に保持体の外側端部（付近）や外周縁寄りの位置
に設けることが、袋体を保持体に装着した状態においてその袋体全体形状を略環状とする
為に望ましく、保持体に袋体を装着した時の位置関係も、保持本体部分の位置によって決
定し、保持本体部分を保持体のどの位置に設けるかにより保持体と袋体の位置関係もおの
ずと異なるが、任意形状とした保持体の一部に設けた保持本体部分が袋体と接触し前記袋
体を略環状に保持していれば特に問題はない。前記保持本体部分に沿って袋体は必ずしも
密に設けられていなくともよい。例えば、プレート状の保持体の外周部分を保持本体部分
とした場合、前記プレート状の保持体の外周部分全体が袋体と接して略環状に装着してい
ても、部分的に袋体と接触し袋体を略環状に装着していてもよく、前記袋体を略環状に装
着出来れば、前記保持本体部分と袋体は、全体的又は部分的に接していればよい。袋体が
保持本体部分と部分的に接している場合や、保持本体部分が断続的に設けられている場合
、一箇所のみでなく複数箇所でもってその隣り合う箇所を袋体によりつなげると略環状と
なる複数箇所とする。保持体は、前記保持体の少なくとも一部を保持本体部分とするため
、保持体全体を保持本体部分としても、保持本体部分とそれ以外の前記保持本体部分を支
えたり補強したり或いはデザインとして必要な部分としても存在する保持本体部分以外の
部分とからなるものとしてもよい。保持体の全体形状を正面側から見て周方向に略環状に
成形し保持体全体を保持本体部分としても、保持本体部分のみを周方向に略環状に設けた
り配置してもよく、前記保持体や保持本体部分を周方向に略環状とした場合、厳密にきれ
いな正円形や楕円でなくとも、正面から見て星型やひし形、トライアングル形に形成され
た略環状であってもよい。尚、本発明の収納部付装飾用リースとしてリング部がどこかを
指し示すのであれば、袋体と前記袋体と接触している保持本体部分がリング部を構成する
ものとする。つまり、前記袋体が収納部としてのみならず装飾体としてのリング部の役割
を兼ねてなる。リング部とは、ここでは、袋体と前記袋体が接触している保持本体部分に
より構成されている部分のことをさすものとする。
【００１０】
保持体及び保持本体部分を形成している材質については、前記可撓性を有するシート部
材により製された袋体を略環状に装着し保持できるものであれば、硬質の合成樹脂等の材
質により成形した非変形性の保持体としても、或いは、保持体や保持本体部分の少なくと
も一部に弾性又は伸縮性又は湾曲性等の変形性を有する材質や部材を使用してもよい。
保持体に前記袋体を取り付ける場合、保持体に前記袋体を嵌め込む又は挟み込む等して取
付可能とするために保持体の形状にある程度の融通がきく変形性を有する材質でもって構
成し、その材質の特徴を活かして保持体を曲げたり引っ張って保持体に前記袋体をはめ込
む又は挟み込む等して取り付けが可能である。尚、ここでいう変形性を有する材質とは、
保持体や保持本体部分を形成している材質を指や手で押したり引っ張ったりして、他から
の力が加わることによって形や向きが変わる材質とする。又、曲げ伸ばし可能な材質でも
って略直線状に形成された保持部材を用いて、前記保持部材を略環状に曲げて一方端と他
方端を接続することにより、周方向に略環状の保持体としてもよい。保持体を曲げ伸ばし
可能な略直線状の保持部材を用いて作成する場合、前記保持部材を略環状に曲げて一方端
と他方端を接続する為の接続手段を一方端と他方端に設けて接続部としてもよい。更に、
一方端と他方端を接続する接続部にアジャスター部分を設け、前記アジャスター部分を利
用し略環状とした時の大きさの変更が可能なものとしてもよい。
【００１１】
前記袋体と前記保持体は、互いに接合されているか、又は着脱もしくは分離可能な袋体
と保持体として設けることとし、前記袋体と前記保持体を互いに着脱もしくは分離可能と
する為の手段を、前記袋体もしくは保持体の少なくとも一方に、又は別体の部材として設
けて収納部付装飾用リースを作成する。前記袋体と保持体とは独立した状態であって、保
持体のなかに存在する保持本体部分を利用し、保持体と袋体は互いに接合されているか、
つまり、別々に作成された前記袋体と前記保持体は、例えば熱溶着や縫着接着剤等の方法
により互いに接合されているか、又は、袋体もしくは保持本体部分の少なくともどちらか
一方又は両方における、形状を工夫したり前述したような袋体や保持体の材質の特性を取
付手段として利用し着脱もしくは分離可能としても、或いは、袋体か保持体の少なくとも
どちらか一方又は両方に着脱もしくは分離可能な手段としての部材を設けたり、袋体や保
持体とはまったく分離した別体の部材として着脱や分離可能な手段としての部材を設けて
もよい。前記袋体もしくは前記保持本体部分の少なくともどちらか一方又は両方における
、形状や材質の特性を利用することで取付手段とした場合においては、保持本体部分の形
状を、凹状部等による袋体嵌め込み部を形成したり、ある程度曲げ伸ばしの利くハリガネ
や軟質の合成樹脂等でもって保持本体部分の少なくとも一部を作成することにより、袋体
を保持本体部分に挟み込む又は嵌め込むことにより着脱や分離可能としてもよい。更に、
前記保持本体部分として形成した凹部や押さえ片等により形成された袋体嵌め込み部に、
可撓性を有するシート部材の撓みやすく形状を変化出来る材質の特性を活かして、保持本
体部分に嵌め込む又は挟み込む又は押し込む等して着脱もしくは分離可能としてもよい。
いずれにしても、袋体と保持体は互いに取り付ける前はそれぞれ別体の袋体と保持体とし
て作成し、互いに分離して独立した状態とする。袋体か保持体の少なくともどちらか一方
又は両方に着脱もしくは分離可能な手段としての部材を設ける場合や、袋体や保持体とは
まったく分離した別体の部材として着脱や分離可能な手段としての部材を設ける場合、ど
のような部材をどのようにして設けるかといった形態や位置、個数等は、可撓性を有する
シート部材により製された袋体と保持体の形態によって当然異なるが、袋体か保持体のど
ちらか一方だけにフックやクリップ、ピン等による部材を設けて着脱や分離可能な手段と
してもよく、更に、着脱や分離が可能な手段としての部材が保持体の一部を兼ねていたり
袋体の一部を構成していてもよい。例えば、袋体の一部にボタンやクリップ等の取付手段
としての部材を設けるとともに、保持体を細長部材によりメッシュ状に形成し、前記袋体
に着脱手段として設けたボタンをメッシュ状とした細長部材に引っ掛けることにより係止
したりクリップを細長部材にはめ込んで係止したり外したりして袋体と保持体を互いに分
離や着脱可能としてもよい。又は保持体の方だけにクリップ、ピン等による部材を設けて
、袋体を構成している可撓性を有するシート部材そのものに挟み込み或いは差し込んで取
り付け保持体と袋体を着脱や分離可能としてもよい。或いは、袋体と保持体との両方に着
脱手段や分離手段としての部材を設けてもよく、更に、前記袋体と保持体とを、前記袋体
や前記保持体とは分離された別体の紐体やリボン、留め具等による部材を用いて、袋体と
保持体を互いに縛り、或いはくくりつける等して着脱や分離可能な手段としてもよい。
【００１２】
以上に述べたように、本発明の収納部付装飾用リースは、可撓性を有するシート部材によ
る袋体と、保持体を備えて成り、前記袋体は、たとえ全体形状が略環状の袋体としてはじ
めから作成されたものであったとしても、しかしながら、例えば、浮き輪のように空気を
充填しその空気がもれないようにした上で被収納物を収納部にいれるとか、被収納物の全
体形状が袋体に適合した大きさや形をしたバームクーヘンのような環状であってある程度
の固さのものでない限り、こまごまとしたチョコやキャンディ等の菓子類や比較的小さな
おもちゃ類とか雑貨品等の被収納物を複数個収納部に被収納物として収納し、一般的な装
飾用リースと同様にそのまま壁やドア等に沿って掛けたり床や天井に対してほぼ垂直に吊
るすといった使用状態における使用時においては、袋体それ自体のみでは、可撓性を有す
るシート部材により側部分を構成された袋体ゆえ被収納物の重み（加重）や重力作用によ
り、前記可撓性を有するシート部材本来の撓みやすさによるしなりやすく型崩れしやすい
といった特性ゆえ前記袋体は空気の抜けた浮き輪のようにだらしなく型崩れし、その全体
の形状が特に縦方向に垂れ下がることによる型崩れを起こす場合が想定され、全体的に下
方向にのびた状態に垂れ下がり或いは部分的によじれたり皺になる等、クリスマスリース
やハロウィーンリース等の収納部付装飾用リースのリング部を構成するのに適した所望の
略環状としての一定の形状を前記袋体のみにより常に安定的かつ確実に保持するのは困難
な場合もあり、前記リング部を兼ねた前記袋体の側部分として使用する部材としては不向
きな材質であったものを、保持体の少なくとも一部に設けた保持本体部分の存在により、
保持体に装着した場合において、前記袋体の全体形状を所望の略環状に装着することが出
来、その状態を安定的に保持することが出来、その使用を可能なものとした。つまり、収
納部付装飾用リースのリング部としての、所望の略環状の形状を前記可撓性を有するシー
ト部材による袋体のみにより保つことは困難であったものを、保持体の一部としての保持
本体部分の存在により、前記袋体をその使用時において常に安定した状態で所望の略環状
の形状に前記保持本体部分に装着しその形状を保持することを可能とした。また、可撓性
を有するシート部材によりリング部を兼ねた収納部を構成する袋体を製することで、被収
納物によりリング部を兼ねた収納部の形状の変化が可能であるところの、言い換えれば、
収納部が被収納物の存在により膨らみ、被収納物の存在により収納部が立体的となり、前
記袋体と被収納物の存在がリング部及び収納部の形状を決定し、本発明の収納部付装飾用
リースのリング部の意匠として活きてくる重要な要素となる。可撓性を有するシート部材
が被収納物に合わせて撓み変形可能な収納部を有した前記袋体は被収納物に接触すること
で、被収納物と可撓性を有するシート部材による収納部内側の面とが接ことによる摩擦係
数が増え被収納物の納まりのよさも兼ね備える。更に、可撓性を有するシート部材により
リング部と収納部を兼ねた袋体を構成することで、始めから収納部としての一定形状の定
まった空間は存在せず或いは必要としないもので、型（鋳型、金型等）製造に係る設備を
従来品に比べ少なくあるいは必要としないことや保管場所に係る費用も少ない製品として
コストも安く、必要な分のみ効率よく完全に手作業で小ロットからの作成も可能とした。
【００１３】
（請求項２）
前記保持体のうち少なくとも一部を透明部材により構成したことを特徴とした収納部付
装飾用リースを作成する。任意形状とした保持体全体を色のついた材質で構成した場合、
全体として見た場合、一見したところでは収納部付装飾用リースの、袋体を保持本体部分
を利用し略環状に装着することで構成している、リング部としての略環状の形状が目立た
なくなる場合もあり、袋体と前記袋体と直接接触している保持本体部分を主に構成してい
る略環状のリング部としての美観が若干損なわれることもありうる。そこで、保持体の少
なくとも一部を透明部材により構成することとし、特に袋体と接する保持本体部分以外の
箇所を透明部材により構成することにより、袋体を主に構成されているリング部の略環状
としての形状がきわだって見えることで、リング部としての略環状の形状を強調し装飾用
リースとしてのデザイン性を保つことが可能である。保持体がどのような形状のものであ
ろうと、収納部付装飾用リースとしてのリング部を構成している略環状部分のデザイン性
を重視しその美観を保つために、保持体の少なくとも一部であって特に保持本体部分以外
の箇所を透明部材により構成することは、見た目が重要な要素を占める本発明の収納部付
装飾用リースにおいては、とても大きな意義をもつものである。無論、収納部付装飾用リ
ースの形状やデザインによっては保持本体部分の方を透明部材により構成してもよく、基
本的には保持体のどの部分を透明部材により構成してもよいこととし、保持体もしくは保
持本体部分全体を透明部材により構成してもよい。
【００１４】
（請求項３）
前記袋体の収納部内における被収納物をバランスよく収納する為の接合部を、前記袋体
の側部分を構成している前記可撓性を有するシート部材どうしを部分的に接合することで
、前記接合部を前記袋体の適宜箇所に設けたことにより、被収納物の一方向への移動や偏
りを防ぎバランスよく収納を可能としたことを特徴とした、収納部付装飾用リースを作成
する。袋体内側の収納部に被収納物として、例えば、キャンディやクッキー等の菓子類を
複数個収納し、壁やドアに掛けたり吊るしての使用時には、よほどぎっしりと詰め合わせ
るかもしくは収納部の形状にぴったり適合した形状の菓子類等に限定した被収納物でない
限りは、被収納物が収納部下方向に偏る恐れがあり、収納部全体にバランスよく収納し、
被収納物が部分的或いは全体的に一方向に移動し偏るのを防ぐには、袋体の側部分を構成
している可撓性を有するシート部材どうしを部分的に接合し接合部を袋体に施すことによ
り、偏り防止の役割を有する障害部となる部分を設ける。接合部として、接合点や接合面
や接合線を、被収納物の状態や大きさや形状に合わせて適宜箇所に施すこととし、前記接
合部としての接合点や接合面や接合線は、接着又は（熱）溶着又は縫着、圧着等の方法に
より施される。又、前記袋体に接合部としての接合点や接合面や接合線を入れることによ
て袋体内部を画設し複数の個室の収納部として分割してもよい。前記接合部により、被収
納物が一方向に偏るのを防ぎ、袋体内部の収納部に被収納物を均等にバランスよく収納す
ることで実際の量よりも多く見せる役割も果たす。この他、前記袋体を部分的に紐体等に
より縛ることで接合し、形状的に細い部分を設けて接合部とし袋体の中身としての被収納
物が偏らないように工夫してもよく、以上のような接合部により、収納部内の被収納物の
移動や偏りを防ぎバランスよく収納が可能とした。
【００１５】
（請求項４）
前記保持本体部分に、前記袋体を略環状に装着するための案内棒としての突起を設けて
なる収納部付装飾用リースを作成する。前記可撓性を有するシート部材により、袋体の側
部分の全体形状を例えば長尺状や略環状等に製された袋体であって、その内部を被収納物
を収納する収納部とし、前記収納部に被収納物を収納した状態で、前記袋体を保持体に容
易にかつ誰がやってもほぼ均一な仕上がり具合に装着するための案内棒としての突起を前
記保持本体部分に有することを特徴とし、この突起を利用し保持体に袋体をその全体形状
が略環状となるように装着することにより、保持体と袋体を備えて収納部付装飾用リース
としたもので、この場合案内棒として設けた突起が保持本体部分を兼ねて存在する。保持
本体部分に、例えば、案内棒としての突起を適宜間隔を置いて複数箇所設け、前記長尺状
の袋体を、前記突起を目印や目安にして突起を挿みながら装着する等、案内棒としての突
起を袋体を装着する際の間隔等を定めるための目安とする他、袋体支え部分や軸部分とし
ても利用することで、袋体を簡単に均等な状態でしかも見た目にも突起と袋体との存在が
相まってデザイン性に優れ斬新かつきれいに保持体に略環状に装着することを可能とした
。前記案内棒としての突起は、前記袋体を、簡単に綺麗かつ均等に装着するためには保持
本体部分において等間隔に設けることが望ましいが、前記袋体に被収納物を納めた状態で
保持体に装着が簡便にかつ見た目によろしく仕上がる役割であればよいこととし、その突
起を設ける位置や方向や間隔や大きさ、形状については特に限定しない。
【００１６】
（請求項５）
前記保持本体部分に、前記袋体を略環状に装着する為の案内孔を設けたことを特徴とし
た収納部付装飾用リースを作成する。前記可撓性を有するシート部材により、例えば、袋
体の側部分を長尺状や略環状等に製された袋体であって、前記袋体内部を被収納物を収納
する収納部とし、前記収納部に被収納物を収納した状態で、前記袋体を保持体に、きれい
にかつ簡単に取り付けるための案内孔を前記保持本体部分に設けこの案内孔を利用し保持
体に袋体を装着することにより、保持体と袋体を備えて収納部付装飾用リースとした。案
内孔の大きさは、前記袋体の収納部に被収納物を納めた状態で充分に通る大きさとする。
又、案内孔の一部に切り欠き部や切れ込み部等による袋体差込口を設けてもよい。更に、
案内孔の形状はきれいな円形や半円形であっても楕円形でも四角形等でもよく、案内孔を
設ける位置や間隔や向きは前記袋体を、案内孔を利用し通して装着したときの状態におい
て見た目によろしく仕上がればよいこととする。具体的に、保持本体部分に設けた案内孔
を利用し前記袋体を装着する方法として、例えば、保持体をプレート材により任意形状に
作成した前記保持体の外周縁を保持本体部分とし前記保持本体部分に案内孔を適宜間隔を
おいて又は連続して設け、長尺状とした袋体内部の収納部に被収納物を納めた状態で案内
孔に順番にくぐらせて挿通し、装着するといった方法がありこの他の装着方法でもよい。
前期案内孔を利用し前記袋体を装着することで、簡便に緩みや撓みなく誰がやっても容易
に均等な仕上がりとなり、かつ、見た目においても前記案内孔の存在と案内孔を利用し装
着した状態での袋体の存在が相まって斬新なデザインとなり、きれいに装着出来る。
【００１７】
（請求項６）
前記保持体に分離又は着脱可能な手段を設けて二つ以上の部材により構成したことを特徴
とした収納部付装飾用リースを作成する。前記保持体のどの部分を分離や着脱が可能な二
つ以上の部材により構成してもよいが、例えば、前記保持体のうち保持本体部分を含む保
持本体部分周辺部のみ、又は、保持体のうち保持本体部分を除いた部分のみ、分離又は着
脱可能とする何らかの手段を設けて、分離や他の部材に着脱や付け替え可能な、二つ以上
の部材により構成しておくことにより、保持体の大きさやデザインの変更が部分的に可能
である。これにより、例えば、袋体の仕様の変更に伴い、保持本体部分のみの変更も可能
な保持体としたことで、袋体の条件に応じて保持体そのものを作り直す必要がなく、非常
に使い勝手のよいものとした。又、保持体に保持本体部分が断続的に設けられている場合
や、強度的な条件により、保持本体部分のみでは袋体を被収納物を収納した状態で略環状
に装着し保持できない場合においては、保持本体部分以外の保持体を構成しているプレー
ト部分や細長部材等は保持本体補強部や保持本体支え部の役割として保持本体部分を支え
るためにはなくてはならない部分として必要であるが、例えば、保持体のうち保持本体以
外の部分はあってもなくてもよいがあったほうがデザインとして見た場合において好まし
い場合や、保持体としての強度がより強くなる場合設けておいたほうが望ましく、保持体
のなかに存在する保持本体部分の他にも、保持本体部分に設けてなる取付手段としての部
材や前記案内棒としての突起や案内孔の存在も含めその他の部分についても、デザインの
変更やその他の条件や必要性に応じて分離や着脱可能な手段を設け二つ以上の部材により
構成することで、使い勝手のよい保持体とした。
【００１８】
（請求項７）
前記袋体を前記可撓性を有するシート部材により側部分の全体形状を長尺状であってその
内部を被収納物を収納する収納部とした袋体として製し、前記保持体もしくは保持体の少
なくとも一部に設けた保持本体部分を、前記長尺状とした袋体を装着する際の袋体に対し
ての芯部として利用可能とするために、前記保持体もしくは保持本体部分の正面側からみ
た全体形状を周方向に略環状に形成し、前記略環状とした保持体もしくは保持本体部分全
体に、前記長尺状とした袋体の前記収納部に被収納物を収納した状態で、前記略環状とし
た保持体もしくは保持本体部分を芯部として利用し、前記長尺状とした袋体を前記略環状
とした保持体もしくは保持本体部分に対し径方向に回転させながら螺旋状（コイル状）に
巻き付けてゆき前記略環状とした保持体もしくは保持本体部分全体に装着したことにより
、装着した状態において前記長尺状の袋体の全体形状が装飾用リースのリング部としての
所望の略環状となるように装着したことを特徴とした、前記長尺状の袋体と、前記長尺状
の袋体を略環状に保持するために略環状の芯部として形成した保持体又は保持本体部分を
備えた、収納部付装飾用リースを作成する。前記長尺状とした袋体には、開閉又は開口可
能な開口部を設けておいてもよい。前記開口部を開閉するために紐体等の開閉手段として
の部材を開口部付近に取り付けておき収納部に被収納物を収納したのち開口部を縛って閉
塞してもよい。又、この紐体等の部材は、前記略環状の芯部とした保持体や保持本体部分
に前記長尺状の袋体を取り付けるための取付手段やオーナメントとして利用したり、接続
手段として利用し、前記長尺状とした袋体を保持体や保持本体部分に装着したあと、袋体
の一方端と他方端を互いに接続してもよい。前記長尺状とした袋体と保持体は、装着した
のち接着等により互いに接合しても或いは分離や着脱可能としてもよい。
保持本体部分に、案内棒としての突起や案内孔を設けた場合であれば、前記案内棒として
の突起や案内孔を利用し、前記長尺状とした袋体の収納部に被収納物を収納した状態で、
らせん状やコイル状に保持本体部分に巻装し装着する。例えば、案内棒としての突起を保
持本体部分に等間隔に設け、前記案内棒として突起の存在を袋体支え部分や巻きつけて装
着する際の間隔を決定する部分として利用し、前記案内棒としての突起を目印や目安に突
起を挿みながら、突起の間隔に合わせて前記長尺状の袋体を一定の方向に回しながら保持
本体部分に沿って螺旋状に巻き付け保持本体部分全体に巻装することで、素人であっても
誰がやってもきれいな仕上がり具合に装着できる。保持本体部分に、ほぼ等間隔に案内孔
を設けたものであれば、前記長尺状の袋体としたものを、前記案内孔に前記長尺状の袋体
を通して保持本体部分に沿って螺旋状に巻き付けて巻装し、前記長尺状の袋体をその全体
形状が略環状となるように装着し、収納部付装飾用リースを作成する。尚、前記案内棒と
しての突起や案内孔は、そのデザインによっては必ずしも等間隔に設ける必要はない。
【００１９】
（請求項８）
前記保持体、又は、前記袋体と保持体とを着脱や分離可能に取り付ける取付手段として
の部材のうち、少なくとも一部をクリスマスリース又はハロウィーンリース等の年中歳事
に利用する装飾用リースに適した任意の形状に具象化し成形したことにより、前記袋体を
前記保持体に装着した状態において、又は、前記袋体を前記保持体より取り外した状態に
おいて、前記保持体、又は、前記袋体と前記保持体とを着脱や分離可能に取り付ける取付
手段としての部材それ自体が、クリスマス又はハロウィーン等年中歳事のオーナメントや
アクセサリーとしても利用可能としたことを特徴とする収納部付装飾用リースを作成する
。年中歳時に使用する装飾用リースとは、例えば、正月飾りリースやひな祭りリースや母
の日、バレンタイン、七夕、誕生日等の年中歳事に使用するリース飾りのことをいう。
保持体であれば、例えば、保持体の一部に設けた案内棒としての突起の形状を、単なる
円柱形や円球形といった単純形状として成形するのではなく、例として、ハロウィーンリ
ースであればかぼちゃの形状、ひな祭りリースであれば桃の花の形状に模して成形しオー
ナメントとして利用可能な形状の突起とする。一つの保持体に例えば突起が複数個存在す
る場合は、そのうちの少なくとも一つ以上をクリスマス又はハロウィーン等の年中歳事に
適した任意の形状に具象化すればよいこととする。保持体は元々、袋体を略環状に装着し
保持する為のものであるが、クリスマス又はハロウィーン等の年中歳事に適した任意の形
状に具象化し成形することにより保持体に袋体を装着した状態において、又は、保持体の
みの状態において、オーナメントとしての役割も併せ持つものとした。
前記袋体と保持体を分離や着脱可能に取り付ける為の取付手段としての部材についても
前記保持体の一部が袋体と保持体とを互いに着脱もしくは分離可能とするための部材を兼
ねている場合や、前記保持体や袋体とは別体の部材として、分離や着脱可能とする部材を
設けてある場合も含めて、同様に、例えばフックや係止ボタン等の取付手段としての部材
の形状を、単なる円弧形や球形や円柱形といった単純形状として成形するのではなく、例
として、クリスマスリースの場合であればフックをステッキの形状に模して成形や着色を
施して仕上げたり、ボタンを雪だるまの形状やサンタクロースの人形の形状、ポインセチ
アの花の形、もみの木、雪の結晶等、クリスマスシーズンに適した物品や風景を模した任
意の形状に具象化し成型し、更に必要に応じて図柄や着色等を施し仕上げることとする。
着色等とは、シールを貼り付けることによって仕上げてもよく、一つの収納部付装飾用リ
ースに対して取付手段としての部材が複数存在する場合は、そのうちの少なくとも一つ以
上をクリスマスリース又はハロウィーンリース等の装飾用リースに適し、オーナメントや
アクセサリーとしての役割も兼ねた任意の形状に具象化すればよい。
【００２０】
（請求項９）
前記袋体と、前記保持体とを備えたことを特徴とした収納部付装飾用リースを製作する為
の請求項１から請求項８に記載の製作キットを作成する。製作キットは、主に本発明の、
可撓性を有するシート部材で側部分を製された袋体を構成するパーツと、前記袋体を保持
するための保持体を構成するパーツに分かれて、これらのパーツを備えてなるもので、そ
れを購入した消費者や使用者が、それぞれのパーツを縫い合わせたり組み立てる等により
完成する収納部付装飾用リース製作キットとする。前記袋体のパーツと前記保持体のパー
ツを主にして、その他必要に応じて袋体を保持体に装着する為に必要な部材や仕上げに取
り付けるリボン体等のオーナメント類等一揃いを予め収納部付装飾用リース組み立て用の
製作キットとして揃えておくことにより、それを購入したものが、見栄えの良好な収納部
付リースを簡単に作成が可能とした。被収納物は、前記収納部付装飾用リース製作キット
を購入者や使用者が作成する段階で袋体内部の収納部に収納することが出来るため、自分
が用意したお菓子や雑貨等を入れて、例えば、クリスマスプレゼントとして完成させたり
、誕生日プレゼントとして完成させて相手に贈るといった楽しみ方ができる。その他季節
ごとや月ごとのひな祭りや正月、バレンタイン等の年中歳事時に前記収納部付装飾用リー
ス製作キットを用意し季節の移り変わりを感じるといった楽しみ方もできる。袋体と保持
体は、それぞれが更に複数のパーツに分解されたものであって、袋体を構成する可撓性を
有するシート部材の型を縫い合わせて袋体とし、保持体も複数のパーツに分解されたもの
を使用者が組み立て、更にそのようにして組み立てた保持体に袋体を装着し、必要であれ
ば仕上げに取り付けるリボン体等のオーナメントを取り付けて仕上げて成るものとしても
、袋体と保持体と必要であればその他のオーナメント類のパーツが予めそれぞれ仕上がっ
た状態で、後は使用者が袋体に被収納物を収納し、保持体に装着し、必要に応じオーナメ
ント類を取り付け仕上げて完成する収納部付装飾用リース製作キットとしてもよい。
【発明の効果】
【００２１】
本発明は、クリスマス又はハロウィーン等の年中歳事に使用する装飾用リースを、可撓
性を有するシート部材で側部分を製された袋体と、前記袋体を保持するための保持体を備
えて、前記袋体の内部を被収納物を収納可能な収納部とし、前記保持体は少なくともその
一部に前記袋体を直接保持する保持本体部分を設けた任意形状とし、前記保持本体部分を
利用し記袋体を略環状に装着することとし、前記袋体と保持体は互いに接合されているか
、又は着脱もしくは分離可能としたことを特徴とした、収納部付装飾用リースとしたこと
により、その製作段階において、袋体と保持体は、それぞれを独立したものとしてまず別
々に作成するため、例えば袋体のみ、或いは保持体のみ、大きさやデザインの変更が容易
に出来る為、その分コストを安く仕上げることを可能とした。結果、被収納物の大きさや
形状に応じて、保持体のみ或いは袋体のみ形状や大きさの変更であることからバリエーシ
ョン豊富な収納部付装飾用リースの作成やデザイン変更が容易に可能であり、かつ、元と
なる型（金型、鋳型）を必要とする割合を少なくしたり或いは全く必要とせずに、製作可
能としたことにより、鋳型にかかるコストを大幅に削減できることから、少数の製品の作
成も可能とした。更に、袋体に被収納物をいれて出荷するまで袋体と保持体を別々に保管
出来る上、袋体に被収納物をいれるまで袋体は小さく折りたたんだり重ねて保管場所をと
らずに効率よく保管出来る。可撓性を有するシート部材による袋体は、それのみでは使用
時において壁やドア等に沿って床や天井に対してほぼ垂直に吊るすと、被収納物の重みや
重力作用により、型崩れし全体的に下方向にのびた状態に垂れ下がる等、所望の略環状の
形状を袋体のみにより常に一定に保つことが困難であり、クリスマスリースやハロウィー
ンリース等の装飾用リースのリング部を兼ねた袋体の側部分として使用するには不適切な
材質であったものを、保持体の一部としての保持本体部分の存在により、前記可撓性を有
するシート部材の欠点をカバーしその特性を活かしたことで、前記袋体を所望の略環状の
形状に装着しその形状を安定的に保持することを可能とした。
【図面の簡単な説明】
【００２２】
【図１−１】本発明の収納部付クリスマスリース１１１を構成する、（ａ）保持体１１１ｃの斜視図、（ｂ）袋体１１１ｄの一部を切欠した状態での斜視図、（ｃ）保持体１１１ｃの展開図、（ｄ）袋体１１１ｄをそのまま壁に掛けた状態を示す使用図である。
【図１−２】収納部付クリスマスリース１１１の、（ａ）斜視図、（ｂ）Ａ−Ａ’線で切った断面図、（ｃ）Ｂ−Ｂ’で切った断面図である。
【図１−３】保持体１１２ｃ（ａ）正面図、（ｂ）収納部付クリスマスリース１１２の一部を透視した全体図、（ｃ）Ｃ−Ｃ’線で切った断面図である。
【図１−４】（ａ）袋体１１１ｄを一部切欠した全体図、（ｂ）袋体１１３の一部省略図、（ｃ）袋体１１４の一部省略図、（ｄ）袋体１１５ｄの一部切欠全体図である。
【図１−５】袋体１１２ｄの作成図である。
【図１−６】（ａ）保持体１１６ｃの一部を透視した斜視図及び、（ｂ）収納部付クリスマスリース１１６斜視図である。
【図１−７】収納部付クリスマスリース１１７の（ａ）正面図及び、（ｂ）Ｄ−Ｄ’線で切った断面図である。
【図１−８】（ａ）保持体１１８ｃの一部省略図、（ｂ）別体の取付部材１１８ｇの斜視図、（ｃ）収納部付クリスマスリース１１８の斜視図である。
【図２−１】（ａ）保持体２１１ｃの斜視図、（ｂ）袋体２１１ｄの斜視図、（ｃ）収納部付クリスマスリース２１１の斜視図、（ｄ）断面図、（ｅ）使用図である。
【図３−１】略環状の袋体に接合部を設けた（ａ）概念図、（ｂ）断面図である。
【図３−２】（ａ）、（ｂ）長尺状の袋体に接合部を設けた概念図である。
【図４−１】（ａ）保持体４１１ｃの斜視図である。（ｂ）収納部付クリスマスリース４１１の一部を透視した状態で全体を表わした斜視図である。
【図５−１】（ａ）保持体５１１ｃの斜視図である。（ｂ）収納部付クリスマスリース５１１全体を表わした斜視図である。
【図５−２】（ａ）保持体５１２ｃの斜視図である。（ｂ）収納部付クリスマスリース５１２の一部を透視した状態で全体を表わした斜視図である。
【図６−１】保持体６１１ｃの（ａ）斜視図、（ｂ）一部を分離した斜視図である。
【図６−２】（ａ）保持体６１２ｃの分解図、（ｂ）保持体６１３ｃ正面図である。
【図７−１】（ａ）保持体７１１ｃの斜視図である。（ｂ）袋体７１１ｄを一部切欠した状態の斜視図である。（ｃ）保持体７１１ｃに袋体７１１ｄを巻き付ける様子を示した作成図である。（ｄ）収納部付クリスマスリース７１１を一部透視した斜視図である。
【図７−２】（ａ）保持体７１２ｃの斜視図である。（ｂ）収納部付クリスマスリース７１２の一部を透視した状態で全体を表わした斜視図である。
【図７−３】（ａ）保持体７１３ｃの斜視図である。（ｂ）収納部付クリスマスリース７１３の一部を透視した状態で全体を表わした斜視図である。
【図８−１】（ａ）収納部付クリスマスリース８１１の正面図、（ｂ）収納部付クリスマスリース８１１の一部拡大図、（ｃ）収納部付クリスマスリース８１２の正面図、（ｄ）収納部付ハロウィーンリース８１３の斜視図である。
【図８−２】保持体８１１ｃ等や留め具８１３ｇの使用例を表した使用図である。
【図９−１】収納部付クリスマスリース製作キットを組み立てる前の各パーツを表した斜視図及び平面図である。
【図９−２】収納部付クリスマスリース９１１の完成図である。
【発明を実施するための形態】
【００２３】
以下、本発明の実施形態を図面に基づいて説明する。本発明は収納部付装飾用リースで
あればクリスマスリースでもハロウィーンリースでも或いはひな祭りや正月に使用するリ
ース飾りでもよいが、実施形態については主にクリスマスリースで説明する。
請求項１に係る本発明を実施する為の実施形態を、図１−１から図１−８に基づいて説
明する。
図１−１及び図１−２は、本発明の収納部付装飾用リースの実施形態の一例として収納
部付クリスマスリース１１１の保持体１１１ｃと袋体１１１ｄに関する図面である。図１
−１（ａ）の方は、厚紙により任意形状に形成した保持体１１１ｃの全体を表わす斜視図
であり、図１−１（ｂ）は収納部付クリスマスリース１１１の収納部１１１ｂを構成して
いる可撓性を有するシート部材１１１ａにより製された全体形状を略環状とした袋体１１
１ｄを一部切り欠いた状態で全体を示した斜視図である。図１−１（ｃ）は、図１−１（
ａ）において示した保持体１１１ｃの展開図であり、図１−１（ａ）において示した保持
体１１１ｃを作成する前の状態の一枚の厚紙の型を示すもので、図１−１（ｃ）に示した
折線１１１ｎに従い、一部を糊等で貼り合わせながら組み立てることにより一枚の厚紙か
ら、図１−１（ａ）に示す保持体１１１ｃを完成させることができる。図１−１（ｄ）は
、図１−１（ｂ）において示した被収納物１１１ｈを収納部１１１ｂに収納した状態にお
ける袋体１１１ｄのみを、壁１１１ｓ等に取り付けられたフック１１１ｐに掛止紐１１１
ｇを掛けて飾った場合の使用状態を示した斜視図である。袋体１１１ｄは、そのままでは
壁１１１ｓやドア等に掛けたり吊るしての使用時に、可撓性を有するシート部材１１１ａ
の撓む性質の特徴により、収納部付クリスマスリースのリング部としての所望の略環状の
形状を維持することが困難であり、たいていの場合、図１−１（ｄ）に示したように、重
力や被収納物１１１ｈの重みも加わり、略環状をかたどった袋体１１１ｄ内周縁により形
成される中央部分の孔の形状がつぶれて、だらしなく縦方向に垂れ下がり、結果、所望の
略環状としての形状は維持されず収納部付クリスマスリースとしての体をなさなくなって
しまう。或いはこのようなひどい型崩れといかないまでも、可撓性を有するシート部材１
１１ａにより製された袋体１１１ｄゆえ、なにかの拍子に部分的によじれ或いは潰れたり
ねじれる等、使用時において常に、所望の略環状の形状を安定的に保ち続けることが困難
になる場合もある。そうなった場合、装飾品としての収納部付クリスマスリースとしては
興ざめである。そこで図１−１（ａ）に示した保持体１１１ｃの存在により、袋体１１１
ｄを所望の略環状に安定した状態で装着しその状態を維持する。
【００２４】
図１−２（ａ）は、先の図１−１（ａ）において示した保持体１１１ｃに図１−１（ｂ）
において示した袋体１１１ｄを装着した状態を示した収納部付クリスマスリース１１１の
全体を示す斜視図であり、図１−２（ｂ）は図１−２（ａ）において示した収納部付クリ
スマスリース１１１のＡ−Ａ’線において、図１−２（ｃ）はＢ−Ｂ’線において切った
断面図である。図１−１（ａ）及び図１−１（ｃ）及び図１−２に基づいて説明すれば、
保持体１１１ｃの中央部分１０７ｃより続く厚紙による側板部１０１ｃと側板部１０２ｃ
の間の折線１１１ｎに従い中央部分１０７ｃに対しほぼ垂直に側板部１０２ｃを上方向に
立てた状態に折り曲げ、中央部分１０７ｃより続く側板部１０３ｃは、中央部分１０７ｃ
と側板部１０３ｃの間に存在する折線１１１ｎに従い中央部分１０７ｃに対しほぼ直角に
上方向に向かって立てた状態に折り曲げて、続く側板部１０３ｃと側板部１０４ｃの間に
存在する折線１１１ｎにより今度は下方向に折り曲げて側板部１０３ｃと側板部１０４ｃ
の裏面どうしを合わせた状態で、糊等を使用し互いに接着することで中央部分１０７ｃに
対し厚紙による側板部１０３ｃと側板部１０４ｃを垂直に立てた状態とし、側板部１０４
ｃと側板部１０５ｃの間の折線１１１ｎに従い今度は側板部１０４ｃに対しほぼ直角に折
り曲げ他の側板部においても同様にして組み立てることにより図１−１（ａ）に示したよ
うな、保持体１１１ｃの外周を保持本体部分１１１ｅとして完成することができる。この
場合、保持体１１１ｃの側板部１０１ｃと側板部１０２ｃ及び側板部１０４ｃと側板部１
０５ｃ及び側板部１０６ｃの一部が直接袋体１１１ｄと接触し略環状に袋体１１１ｄを装
着しその状態を保持する保持本体部分１１１ｅとして該当する。
このように、保持体には保持本体部分があることとし、この場合、保持体１１１ｃの外
周部分を保持本体部分１１１ｅとして図１−１（ａ）に示したように形成したことにより
設け、前記保持本体部分１１１ｅが直接袋体１１１ｄを保持して成る。保持本体部分１１
１ｅは基本的に保持体１１１ｃの一部を構成しており直接袋体１１１ｄと接触して保持す
る部分のことを指すものとする。ただし、前記袋体１１１ｄは、保持本体部分１１１ｅ全
体に沿って必ずしも密に設けられていなくともよいこととする。例えば袋体の形状や材質
の特徴であったり保持体及び保持本体部分の形状等の条件によっては、実際、保持本体部
分と袋体の間には部分的に隙間は出来るものであり、図１−２に示した、保持体１１１ｃ
の外周部を保持本体部分１１１ｅとした場合においても、袋体１１１ｄと保持本体部分１
１１ｅが部分的に接着層１１１ｋにより接合していることで、保持体１１１ｃが袋体１１
１ｄを略環状に保持することができる。
【００２５】
図１−１及び図１−２において示したように、本発明の収納部付クリスマスリース１１１
は、図１−１（ｂ）において示した可撓性を有するシート部材１１１ａにより側部分を製
された略環状の袋体１１１ｄと、図１−１（ａ）において示した任意形状とした保持体１
１１ｃとを備えて、前記袋体１１１ｄの内部を被収納物１１１ｈを収納可能な収納部１１
１ｂとし、前記収納部１１１ｂに被収納物１１１ｈを収納した状態で、図１−２に示した
ように任意形状とした保持体１１１ｃの中央部分１０７ｃ外周に設けた側板部１０１ｃと
側板部１０２ｃ及び側板部１０４ｃと側板部１０５ｃ及び側板部１０６ｃからなる保持本
体部分１１１ｅに袋体１１１ｄをセットし更に前記保持本体部分１１１ｅと袋体１１１ｄ
の一部を図１−２（ｂ）及び図１−２（ｃ）において示した接着剤による接着層１１１ｋ
を設け部分的に接合したことにより、その全体形状が所望の略環状となるように装着し使
用時においても常にその状態を安定的に保持することが可能な状態に取り付けて成る。収
納部１１１ｂに被収納物１１１ｈを入れた際の膨らみにより自然にドーナツリング形状の
袋体１１１ｄとなったものを、保持本体部分１１１ｅに接合したものである。袋体１１１
ｄ等それ自体では先の図１−１（ｄ）において示したように、使用時において所望の一定
の略環状形状を保つことが困難であって、特に袋体１１１ｄ等の内縁部によりかたどった
袋体１１１ｄ中央部の孔の形状がつぶれる等による型崩れを防ぐために、図１−２に示し
たように前記袋体１１１ｄ中央部の孔を保持体１１１ｃ及びその一部に設けた保持本体部
分１１１ｅの存在により押し広げて略環状に形を整え、保持体１１１ｃに袋体１１１ｄを
略環状に装着し保持することが出来る。尚、可撓性を有するシート部材１１１ａが伸縮性
や通気性や透明性を有するものであってもよく、通気性を有する材質の場合、袋体１１１
ｄの内側と外側の通気性をよくし、収納部１１１ｂが密閉されるという状態をさけること
が出来、可撓性を有するシート部材１１１ａに透明性を持つ材質を使用した場合、可撓性
を有するシート部材１１１ａ外側より収納部１１１ｂの中身の状態をある程度確認出来、
被収納物をデザインとして活かすといった利点がある。図１−１（ｂ）に示したような通
常のクリスマスリースに具備されているような装飾用鈴飾り１１１ｆ等のオーナメントや
壁等に掛けて使用するための掛止紐１１１ｇは、保持体か袋体のどちらかに必要に応じ通
常のクリスマスリースと同じく自由に取り付けてよいこととする。また、保持体１１１ｃ
は、厚紙の他、合成樹脂その他の材質を用いて作成してもよく、保持体の形状についても
、図１−１（ａ）に示した保持体１１１ｃの実施形態に限定するものではない。
【００２６】
図１−３（ａ）は、保持体１１２ｃを合成樹脂材による細長部材により任意形状に作成
したものの一例を示した正面図である。細長部材の外端部を次の図１−３（ｂ）に示す袋
体１１２ｄを装着しやすくする為にその形状を工夫した保持本体部分１１２ｅとして設け
、袋体１１２ｄを接着する為の部材として両面テープ１１２ｇを保持本体部分１１２ｅに
設けたもので、図１−３（ｂ）は、図１−３（ａ）に示した保持体１１２ｃに、可撓性を
有するシート部材１１２ａにより全体形状を略環状とした袋体１１２ｄを、両面テープ１
１２ｇにより接合した状態をその片方半分を透視した状態で表した収納部付クリスマスリ
ース１１２正面図であり、図１−３（ｃ）は、Ｃ−Ｃ’線で切った断面図である。袋体１
１２ｄ内部の収納部１１２ｂには、被収納物１１２ｈが収納された状態で、袋体１１２ｄ
を両面テープ１１２ｇによる取付手段としての部材により保持体１１２ｃに接合されてな
る。以上、図１−１から図１−３に示した収納部付クリスマスリース１１１や収納部付ク
リスマスリース１１２は、主にプレート状の部材や細長部材により作成した任意形状の保
持体１１１ｃや保持体１１２ｃの外周部分（外端部）の位置に保持本体部分１１１ｅや保
持本体部分１１２ｅを設け、袋体１１１ｄや袋体１１２ｄを備えたものであるが、袋体を
保持体に装着した状態において袋体の全体形状が略環状となる位置において保持本体部分
が設けられていればよく、保持体１１１ｃの保持本体部分１１１ｅや保持体１１２ｃの保
持本体部分１１２ｅのように袋体１１１ｄや袋体１１２ｄを装着する際に接合しやすい形
状や形態、仕様として工夫し利用しやすく形成しておくことが望ましい。
【００２７】
ここで前記袋体１１１ｄや袋体１１２ｄの作成方法について主な方法を次に説明する。
図１−４（ａ）は可撓性を有するシート部材１１１ａを使用し、袋体１１１ｄの全体形状
を略環状とする以前の状態であって、まず長尺状の袋体１１１ｄとして作成し、前記袋体
１１１ｄの、長手方向における一方端と他方端は、被収納物１１１ｈを収納部１１１ｂに
収納すると同時に接着線１２２ａと１２２ｂにより閉塞したもので、その一部を切り欠い
た状態での袋体１１１ｄ全体の様子を示す斜視図である。先の図１−１（ｂ）に示した略
環状の袋体１１１ｄは、図１−４（ａ）に示した長尺状の袋体１１１ｄの、一方端と他方
端を互いに縫着により接続し全体形状を略環状とした袋体１１１ｄとして完成させたもの
にオーナメントとしての鈴飾り１１１ｆ及び掛止紐１１１ｇを取り付けたものである。図
１−４（ｂ）は、図１−４（ａ）において示した袋体１１１ｄをアレンジしたもので一方
端と他方端に、飾り用のオーナメントとして帯状の布体１１３ｆが具備されてなる袋体１
１３ｄとしたものの一部省略図である。図１−４（ｃ）は、やはり図１−４（ａ）におい
て示した袋体１１１ｄの一方端と他方端をアレンジし、飾り用のオーナメントとしてのリ
ボン体１１４ｆを設けて袋体１１４ｄとしたものの一部省略図であり、布体１１３ｆやリ
ボン体１１４ｆが、袋体１１３ｄや袋体１１４ｄの一方端と他方端を接続し略環状の袋体
とするための接続部材を兼ねたものとして利用し布体１１３ｆどうしやリボン体１１４ｆ
どうしを互いに絡み合わせることにより接続してもよい。図１−４（ｄ）は図１−４（ａ
）において示した袋体１１１ｄの一方端と他方端を両方共開口部１１５ｅとして作成した
袋体１１５ｄを一部切欠したものである。袋体１１５内部は被収納物１１５ｈを収納する
収納部１１５ｂで、袋体１１５ｄの一方端と他方端は端部を折り返して縫製してあるが、
袋体１１５ｄの一方端と他方端を被収納物１１５ｈを収納したのち互いに縫いあわせて接
続し袋体１１５ｄの全体形状を略環状として完成してもよい。図１−５は、先の図１−３
（ｂ）及び図１−３（ｃ）に示した、袋体側部分の全体形状が略環状であってその内部を
被収納物を収納する収納部とした袋体１１２ｄの作成方法を示した作成図である。可撓性
を有するシート部材１１２ａを二枚重ね合わせて、略環状の袋体１１２ｄの全体形状を形
どった略環状の外周縁１１２ｎと略環状の内周縁１１２ｍを切り抜いたもので、切り抜い
た二枚のシート部材の外周縁１１２ｎどうしと内周縁１１２ｍどうしをそれぞれ縫合や、
熱溶着、接着剤等の手段により互いにくっつけて先の図１−３（ｂ）及び図１−３（ｃ）
に示したような全体形状が略環状の袋体１１２ｄとした。
【００２８】
袋体１１１ｄや袋体１１２ｄの他、保持本体部分１１１ｅ等を利用し装着した状態にお
いて全体形状が略環状となるように装着が可能であればどのような形状や形態の袋体とし
てもよい。袋体に開口部を設ける場合についても、袋体１１５ｄのように袋体長手方向に
おける両端の位置に限るものではなく、中程の位置に設けてもよくどの位置にどれくらい
の大きさの開口部を設けるかや、開口部の形態については被収納物との兼ね合いにもよる
が、通常考えられるものであればよく、本実施形態による作成方法に限定するものではな
い。又、袋体１１１ｄや袋体１１２ｄは一つの略環状の袋体として製したが、袋体を保持
本体部分を利用し連続的に複数個連ねた複合体全体形状を所望の略環状のリング部として
もよく、袋体の数は特に問題ではない。複数個の袋体を略環状に連ねた複合体全体を略環
状の袋体によるリング部とした場合、個々の袋体どうしが隣同士密に連続していることが
望ましいが、部分的に多少の隙間や間隔が存在していても全体として見た場合において略
環状に配置されていればよい。袋体１１１ｄや袋体１１２ｄは、それ自体では、壁やドア
等に掛けたり吊るしての使用時に、図１−１（ｄ）に示したように所望の略環状の全体形
状を、維持することが困難であって、保持体１１１ｃや保持体１１２ｃの存在により、袋
体１１１ｄや袋体１１２ｄを所望の略環状に装着し保持することが可能である。袋体１１
１ｄ等は、収納部１１１ｂ等を擁するものであるとともに収納部付クリスマスリース１１
１等のリング部を構成しており、可撓性を有するシート部材１１１ａや可撓性を有するシ
ート部材１１２ａにより側部分を製された袋体１１１ｄや袋体１１２ｄは前記リング部の
ボリュームを出したり径の太さや大きさを多少変えることも袋体１１１ｄや袋体１１２ｄ
の形状や大きさの範囲内において被収納物の量や形状や大きさの調整により可能である。
【００２９】
前記袋体と前記保持体を互いに着脱もしくは分離可能に取り付ける取付手段、もしくは
手段としての部材を、前記袋体もしくは保持体の少なくとも一方に、又は別体の部材とし
て設けた収納部付装飾用リースについて図１−６、図１−７及び図１−８に基づき説明す
る。先の図１−１に示した袋体１１１ｄと保持体１１１ｃにおいて、袋体１１１ｄと保持
体１１１ｃを着脱もしくは分離可能に取り付ける取付手段として、前記保持体１１１ｃの
保持本体部分１１１ｅの形状を、図１−６（ａ）に示すように、袋体はめ込み部を形成す
るための翼部分１１６ｇを有する保持本体部分１１６ｅを設けた保持体１１６ｃとして変
更し、かつ、袋体１１１ｄの可撓性を有するシート部材１１１ａの撓む特徴を利用し、袋
体１１１ｄを保持本体部分１１６ｅにはめ込むことにより保持体１１６ｃと袋体１１１ｄ
を分離や着脱が可能な状態とした。翼部分１１６ｇは、先の図１−１に示した側板部１０
１ｃや側板部１０５ｃに対しほぼ平行に張り出して設けて成る。図１−６（ｂ）は、図１
−６（ａ）において示した保持体１１６ｃの保持本体部分１１６ｅに被収納物を入れた状
態の袋体１１１ｄをはめ込み装着した様子を示す斜視図である。保持本体部分１１６ｅの
形状を、袋体１１１ｄをはめ込みやすくかつ使用中においても意図的に袋体１１１ｄを引
っ張り出したりしない限り外れにくい形状として袋体はめ込み部を形成するための翼部分
１１６ｇを設けたものとしたことにより、保持体１１６ｃと袋体１１１ｄを互いに着脱も
しくは分離可能に取り付ける取付手段とした。図１−７（ａ）は、先の図１−３において
示した保持体１１２ｃの保持本体部分１１２ｅに取付手段としてクリップ１１７ｇを設け
て保持体１１７ｃとしたものに、先の図１−３に示した袋体１１２ｄを、保持体１１７ｃ
に設けた保持本体部分１１７ｅのクリップ１１７ｇを利用し挟み込んで装着し、収納部付
クリスマスリース１１７としたものの正面図である。図１−７（ｂ）は、図１−７（ａ）
におけるＤ−Ｄ’線で切った保持体１１７ｃと袋体１１２ｄの様子を示す断面図である。
図１−７（ａ）及び図１−７（ｂ）に示したように細長部材により成形した保持体１１７
ｃの先端部を保持本体部分１１７ｅとし前記保持本体部分１１７ｅには、袋体１１２ｄと
保持体１１７ｃを互いに着脱もしくは分離可能に取り付ける取付手段として、洗濯バサミ
のような構造のバネを利用したクリップ１１７ｇをそれぞれ取付手段としての部材として
設けており、保持体１１７ｃの一部に設けたクリップ１１７ｇによる取付手段としての部
材により、被収納物１１２ｈを収納部１１２ｂに収納した袋体１１２ｄの一部を挟み込ん
で装着し、前記袋体１１２ｄと保持体１１７ｃを互いに着脱もしくは分離可能にとした。
図１−３に示した袋体１１２ｄは図１−７においても共通したものとする。
【００３０】
図１−８（ａ）は保持体１１８ｃを略環状とする以前の全体の様子をその一部を省略し
て表した平面図である。保持体１１８ｃは、曲げ伸ばし可能な材質により略直線状に形成
されており、略環状に曲げて一方端と他方端を接続することにより、図１−８（ｃ）に示
すようなその全体形状を周方向に略環状の保持体１１８ｃとし、接続手段を一方端と他方
端に設けて接続部とし、前記接続部は、突設部１１８ｎと突設部１１８ｎをはめ込んで係
止するアジャスター部分１１８ｅを兼ねた孔１１８ｍ四つから成り、前記アジャスター部
分１１８ｅを利用し略環状とした時の保持体１１８ｃの径の大きさの変更が可能なものと
した。図１−８（ｂ）は、図１−８（ｃ）に示した保持体１１８ｃや袋体１１３ｄとは分
離した別体の取付手段としての部材としての留め具１１８ｇの斜視図である。ある程度の
軟質性と弾性を有する合成樹脂材によりＣ字型に形成した留め具１１８ｇ先端部には係止
用ボタン１１８ｆ及び係止用輪状ゴム１１８ｋを設けて成る。図１−８（ｃ）は、図１−
８（ａ）に示した略直線状の保持体１１８ｃの一方端と他方端を接続して略環状の状態と
した保持体１１８ｃに、先の図１−４（ｂ）に示した袋体１１３ｄを、図１−８（ｂ）に
示した留め具１１８ｇを用いて装着し、収納部付クリスマスリース１１８としたものの全
体の様子を一部を透視した状態で表した斜視図である。図１−８（ｃ）において示したよ
うに、袋体１１３ｄと保持体１１８ｃとは、別体の取付部材として図１−８（ｂ）に示し
た留め具１１８ｇを、前記保持体１１８ｃ外側部分に袋体１１３ｄを重ねて取り付けた状
態で、留め具１１８ｇを袋体１１３ｄと保持体１１８ｃとを径方向に縛り付けるように、
数箇所更にその外側より挟み前記係止用ボタン１１８ｆに係止用輪状ゴム１１８ｋを引っ
掛けて留めたことにより保持体１１８ｃに袋体１１３ｄを略環状に装着してなる。図１−
６、図１−７図及び図１−８において説明した様に、取付手段を袋体もしくは保持体の少
なくとも一方に、又は、別体の部材として設けたことにより、例えば、接着剤を用意し袋
体と保持体を接合したりミシン等を使用し袋体と保持体を縫合する手間がかからず、或い
は、大型の熱溶着機を用意し袋体と保持体を熱溶着するといった設備も必要なく、あらか
じめ設けられた取付手段を利用し手作業で簡単に保持体に袋体を装着が可能である。
【００３１】
以上に述べた本発明の収納部付クリスマスリース１１１等は、可撓性を有するシート部
材１１１ａ等により側部分を製された袋体１１１ｄ等により収納部１１１ｂ等を構成して
成る為、従来の収納部付リース等に比べ、製造過程においてその元となる収納部や収容体
としての一定形状の空間を有する型（鋳型、金型等）の割合を削減又は必要とせず、安価
に製造が可能である。更に、保持体１１１ｃ等と袋体１１１ｄ等をその製造過程において
は別々に作成してなることや、収納部付クリスマスリース１１７のように袋体１１２ｄと
保持体１１７ｃを着脱もしくは分離可能に取り付ける取付手段を設けたことで、被収納物
の変更等に応じて袋体１１２ｄと保持体１１７ｃそれぞれの形状や大きさを簡単に交換や
変更が出来る。収納部としての形状が変形可能な可撓性を有するシート部材１１１ａ等に
より製した袋体１１ｄ等は、収納部１１１ｂ等に被収納物を入れるまで一定の収納部とし
ての空間を有せず都合のよい形状に小さく折り畳んで、袋体と保持体はそれぞれコンパク
トにまとめて保管できるため、収納部１１１ｂ等に被収納物が収納されているか否かに関
らず収納部としての一定形状の空間を有し必要とするものではなく、出荷するまでの保管
スペースも少なくて済むといった利点がある。保管スペースが少なくてすむことで保管場
所に圧倒的スペースを必要とした従来品に比べ保管にかかる費用と場所を大幅に削減縮小
することができる上、在庫を多く所有しておくことも可能となった。使用時に被収納物を
収納部１１１ｂ等に収納することで、袋体１１１ｄ等内部の被収納物の存在により袋体１
１１ｄ等によるリング部にドーナツリング状の膨らみを持たせることが可能であり、装飾
品としての収納部付クリスマスリース１１１等のリング部として適切なボリュームを出し
リング部の形状を立体的なものとして決定する要素となり、所望の形状を形作ることに、
可撓性を有するシート部材１１１ａ等により作成された袋体１１１ｄ等と袋体内部の収納
部１１ｂ等の被収納物１１１ｈ等が重要な役割を果たす。又、可撓性を有するシート部材
１１１ａ等による袋体１１１ｄ等をその使用時においてリング部としての所望の略環状の
形態を保ち安定した状態で保持することを、保持体１１１ｃ等と前記保持体１１１ｃ等の
少なくとも一部に設けた保持本体部分１１１ｅ等の存在により可能とした。しなりやすく
型崩れしやすい可撓性を有するシート部材１１１ａ等は細々とした菓子類や雑貨等を入れ
るための袋体としてその側部分に使用し袋体１１１ｄ等を作成するには好適な材質ではあ
る反面、クリスマスリースとしてのリング部を兼ねた袋体１１１ｄとして収納部１１１ｂ
に被収納物を収納し壁やドアに沿って掛けたり吊るしての使用時においては、クリスマス
リースのリング部としての所望の略環状の一定の形状を常に安定した状態で保ち続けるこ
とには本来適さない材質であったものを、被収納物の重み等により袋体が特に縦方向に垂
れ下がり型崩れし所望の形状が保てなくなるのを防ぎ、袋体１１１ｄ等が略環状のリング
部としての所望の形状を保つことを、保持体１１１ｃ等の少なくとも一部に設けた保持本
体部分１１１ｅ等の存在により可能とした。又、保持体は任意形状とすれば、保持体１１
１ｃのように真ん中に八角形のプレート部分を設けてその外周部分を保持本体部分１１１
ｅとしたり、保持体１１２ｃのように細長部材による先端を保持本体部分１１２ｅとして
、保持体が保持本体部分とそれ以外の部分とから成るものとしても、又は、保持体１１８
ｃのように保持体全体を保持本体部分１１８ｅとして単に略環状の保持体としても、或い
はどのような形状のものであってもよいが、保持体１１１ｃや保持体１１２ｃのように保
持本体部分以外の部分であって保持本体部分を支えたり補強したりするための保持本体支
え部や保持本体補強部が設けられている場合においては、もしくはデザインとして保持本
体部分以外の部分が設けられている場合であってもよいが、保持本体部分以外の部分が存
在するものにおいては、袋体１１１ｄによって保持体１１１ｃにかかる力が、保持体１１
１ｃ全体に分散されることで、単に略環状として形成した保持体１１８ｃの場合と比べて
保持体を作成するための材質や強度やデザインの幅が広がり、紙材や合成樹脂のプレート
材でもってより薄い材質のものを使用しそれを折り曲げたり切ったりして作成することで
、型（鋳型、金型）を必要とせずに機械に頼らず手作業で作成可能なものもある為、従来
の型を使用し作成したものに比べ材質や型にかけるコストを大幅に削減した製品の提供が
可能であり家内製造で小ロットからの製作も可能とした。
【００３２】
請求項２に係る実施形態を図２−１に基づいて説明する。
図２−１（ａ）は任意形状とした保持体２１１ｃの少なくとも一部を透明部材により構
成した一例として、保持体２１１ｃのプレート部分２１１ｍを透明部材２１１ｋにより構
成してなるものでその全体形状を表わす斜視図である。図２−１（ｂ）に示す可撓性を有
するシート部材２１１ａにより製された袋体２１１ｄと、先の図２−１（ａ）に示す保持
体２１１ｃを備えて、図２−１（ｃ）に示す収納部付クリスマスリース２１１となるもの
で、図２−１（ｄ）は図２−１（ｃ）をＡ−Ａ’線で切った断面図である。更に詳しく説
明すれば、収納部付クリスマスリース２１１は、図２−１（ｂ）に示すように、可撓性を
有するシート部材２１１ａを略環状の袋体２１１ｄに作成し、前記袋体２１１ｄ内部には
収納部２１１ｂを設け、図２−１（ａ）に示す任意形状とした保持体２１１ｃは、透明部
材２１１ｋにより構成した合成樹脂によるプレート部分２１１ｍと、同じく合成樹脂によ
り形成した保持弧２１１ｇを数箇所プレート部分２１１ｍの外周縁２１１ｎに沿って略環
状に配置し設けてなるものであって、保持弧２１１ｇと外周縁２１１ｎのみ色の付いた合
成樹脂により形成してなる。この場合、保持弧２１１ｇと、外周縁２１１ｎと、プレート
部分２１１ｍのうち袋体２１１ｄの背面側と直接接しているプレート部分２１１ｍが略環
状の保持本体部分２１１ｅであるといえる。保持本体部分２１１ｅとしての保持弧２１１
ｇは、袋体２１１ｄを所望の略環状に装着し保持する役割を有し、収納部２１１ｂに被収
納物２１１ｈを入れた袋体２１１ｄを挟みながら装着するもので、前記袋体２１１ｄと保
持体２１１ｃは着脱自在とした。図２−１（ｅ）に示す断面図のように、保持弧２１１ｇ
の材質をある程度の軟質性を有する合成樹脂によってその形状を湾曲した形状に形成した
一方端を固定し、他方端を上下に可動可能であって上げ下げして袋体２１１ｄを挟み込み
装着し保持する。図２−１（ｅ）はその作用を示した断面図である。このように、保持体
２１１ｃはプレート部分２１１ｍと外周縁２１１ｎと保持弧２１１ｇによって構成されて
いるが、プレート部分２１１ｍを透明部材２１１ｋにより作製したことで、一見したとこ
ろにおいては、略環状に製された袋体２１１ｄと同じく略環状に配置した保持弧２１１ｇ
と外周縁２１１ｎの形状のみ目に入ることによって、略環状のリング部を構成している袋
体２１１ｄと保持弧２１１ｇと外周縁２１１ｎが本発明の収納部付クリスマスリース２１
１を構成しているものと錯覚し、クリスマスリースとしての基本的な形状である略環状の
形状の意匠として効果的に印象付けられ、クリスマスリースとしてより親しみやすくデザ
イン性にも優れたものとなる。先の図１−１（ａ）に示した保持体１１１ｃにおいても中
央部に位置する八角形のプレート部分１０７ｃを透明部材により構成してもよい。
【００３３】
請求項３に係る実施形態を図３−１及び図３−２に基づいて説明する。
次の図３−１、図３−２は前記袋体１１１ｄや袋体１１２ｄに接合部を施す際の具体的な
方法及び概念を示した平面図である。図３−１（ａ）に示す袋体３１１ｄは、先の図１−
５で示した袋体１１２ｄの作成方法と同様に略環状をかたどった内周縁３１１ｍどうしと
外周縁３１１ｎどうしをそれぞれ縫い合わせて作成した略環状の袋体３１１ｄであって、
前記袋体３１１ｄには、収納部３１１ｂ内における被収納物３１１ｈの移動や偏りを防ぎ
バランスよく収納を可能とする為の接合部３２１を、接合点３２１ｇ、接合面３２１ｐ、
接合線３２１ｋとして、被収納物の状態や大きさや形状に応じ、前記袋体３１１ｄの適宜
箇所に、袋体３１１ｄの側部分を構成している可撓性を有するシート部材３１１ａどうし
を部分的に縫着による手段を用いて接合することにより、設けるととともに被収納物３１
１ｈを収納部３１１ｂに収めたものである。接合点３２１ｇや接合面３２１ｐや接合線３
２１ｋによる接合部３２１を設けたことにより、区割り線や区分け面を施し、袋体３１１
ｄ内部の収納部３１１ｂ内における被収納物３１１ｈの移動や偏りを防ぎバランスよく収
納が可能とした。図３−１（ｂ）は、図３−１（ａ）のＡ−Ａ’線で切った袋体３１１ｄ
の断面図である。袋体３１１ｄを先の図１−３に示したような保持体１１２ｃに装着し壁
やドア等に掛けたり吊るしての使用時において、接合部３２１としての接合点３２１ｇや
接合面３２１ｐや接合線３２１ｋの存在によりが、各接合部３２１より上位部にある被収
納物３１１ｈが各接合部３２１より下方向に移動することを防ぐ障害部分となることで重
力作用により被収納物３１１ｈが収納部３１１ｂ内下方向に偏るのを防ぎ、収納部３１１
ｂ内においてバランスよく収納可能とした。接合部３２１は接着（熱溶着）やホチキスの
針等によって袋体３１１ｄの側部分どうしを接合し接合部３２１としてもよい。
図３−２（ａ）は、先の図１−４（ａ）で示した袋体１１１ｄと同様の形態の長尺状の袋
体３１２ｄとして作成したものに、接合部３２２として、袋体３１２ｄの側部分を構成し
ている可撓性を有するシート部材３１２ａどうしを互いに部分的にミシン目による接合線
３２２ｋを施すことで接合し、袋体３１２ｄ内部の被収納物３１２ｈが収納部３１２ｂ内
において一方向に偏るのを防ぎ、バランスよく収納を可能としたものの概念を示した平面
図である。図３−２（ｂ）は、やはり可撓性を有するシート部材３１３ａにより長尺状と
した袋体３１３ｄに接合部３２３としての圧着面３２３ｐを施した状態を袋体３１３ｄの
一部を切欠した状態で示した概念図である。袋体３１３ｄ内部が更に複数の個室の収納部
３１３ｂとして分割されていることで、被収納物３１３ｈが一方向に偏るのを防ぎ、バラ
ンスよく分けて収納するための役割を果たすものである。接合部３２３としての圧着面３
２３ｐは区割りの役割を有し、収納部３１３ｂを複数個の個室に画設した状態に設けてな
る。以上、図３−１及び図３−２において示したように、袋体３１１ｄや袋体３１２ｄや
袋体３１３ｄの側部分を構成している可撓性を有するシート部材どうしを互いに部分的に
接合し、偏り防止手段としての接合部３２１や接合部３２２や接合部３２３を設けたこと
で、袋体３１１ｄ等の中身としての被収納物３１１ｈ等の偏りを防ぎ、バランスよく被収
納物３１１ｈ等の収納が可能であるとともに、被収納物３１１ｈ等を全体にバランスよく
収納することにより被収納物３１１ｈ等の総量を実際よりも多く見せる効果もある。
【００３４】
請求項４に係る、前記保持本体部分に案内棒としての突起を設けた実地形態を図４−１
に基づいて説明する。図４−１（ａ）に示すものは、透明部材の丸いプレート部分４１１
ｋと、前記プレート部分４１１ｋの外周縁部分４１１ｆと、前記外周縁部分４１１ｆに沿
って案内棒としての突起４１１ｅを正面からみて手前側の方向に向けて突出したものを等
間隔に複数個設けたものであって、前記外周縁部分４１１ｆ及び突起４１１ｅは色の付い
た部材から成る、保持体４１１ｃを表した斜視図である。図４−１（ｂ）は、先の図１−
４（ｂ）に示した長尺状の袋体１１３ｄの、大きさや長手方向の長さを予め保持体４１１
ｃの外周縁部分４１１ｆ及び突起４１１ｅの形状及び大きさに合わせて作成したものを、
図４−１（ａ）に示した突起４１１ｅを利用し袋体１１３ｄ内部に被収納物を収納した状
態で、突起４１１ｅの間を通して挟み込みながら保持体４１１ｃに略環状に装着すること
により、保持体４１１ｃと袋体１１３ｄを備えて、収納部付クリスマスリース４１１とし
たものでその一部を透視した斜視図である。袋体１１３ｄは保持体４１１ｃの案内棒とし
ての突起４１１ｅの間を左右に交互にくねらせながら通して突起４１１ｅを挟みこみなが
らはめ込みその一方端と他方端を帯状の布体１１３ｆをリボン状に結んで接続したことに
より装着した。この場合、保持体４１１ｃの外周縁部分４１１ｆ付近と突起４１１ｅが、
袋体１１３ｄと接触し袋体１１３ｄを直接保持している部分として保持本体部分４１１ｇ
ということができる。ちなみに、保持体４１１ｃと袋体１１３ｄは、着脱や分離が可能な
状態としても、接着剤等の使用により接合してもよい。袋体１１３ｄは、案内棒としての
突起４１１ｅの存在により簡便に保持体４１１ｃに所望の略環状に装着することが出来、
使用時においてもその状態を保持することが出来る。更に、デザイン面においても、突起
４１１ｅの存在により、袋体１１３ｄと突起４１１ｅの絡み合う形状が相まって、今まで
にない新しいデザインのリング部を呈するものとした。突起４１１ｅは、袋体１１３ｄを
装着する為の案内棒としての役割のみならず、袋体１１３ｄを装着時のリング部のデザイ
ンを決定し、突起４１１ｅの存在自体が、保持体４１１ｃに装着した袋体１１３ｄと相ま
ってリング部のデザインを決める役割を有しデザインの一部となる。又、突起４１１ｅは
透明部材としてもよく、案内棒としての突起は、特に図４−１に示した実施形態に限定さ
れるものではなく、袋体１１３ｄ等を突起を目印や目安にして前後又は左右に交互に突起
を挿みながら装着する等の装着方法や、袋体１１３ｄ等の作成方法によっても、突起４１
１ｅの形状はもちろん向きや大きさや、突起４１１ｅの並び方つまり突起を設ける位置や
間隔や方向については異なり、本実施形態の他にも様々なバリエーションが考えられる。
【００３５】
請求項５に係る、前記保持本体部分に案内孔を設けた実施形態を図５−１及び図５−２
に基づいて説明する。図５−１（ａ）に示すものは、楕円形状のプレート部分５１１ｋ外
周縁に沿って袋体を装着する為の案内孔５１１ｅを連続して設けてなる保持体５１１ｃの
斜視図である。図５−１（ｂ）は、先の図５−１（ａ）に示した保持体５１１ｃに袋体１
１４ｄを装着し収納部付クリスマスリース５１１としたものである。先の図１−４（ｃ）
において示した長尺状の袋体１１４ｄを予め保持体５１１ｃに設けた案内孔５１１ｅの大
きさや形状等に合わせて作成したものを、前記保持体５１１ｃに設けた案内孔５１１ｅに
正面から見て前後に一つずつ順番に挿通しながら取り付け、袋体１１４ｄの一方端と他方
端に設けたオーナメントとしてのリボン体１１４ｆを利用し絡み合わせて接続し、保持体
５１１ｃに袋体１１４ｄをその全体形状が略環状となるように装着したことにより保持体
５１１ｃに袋体１１４ｄを備えて収納部付クリスマスリース５１１とした。この場合、プ
レート部分５１１ｋの外周縁部分に形成された案内孔５１１ｅが、直接袋体１１４ｄと接
触し保持しており保持本体部分５１１ｆであるといえる。つまり、保持本体部分５１１ｆ
に案内孔５１１ｅを設けたことを特徴とした収納部付クリスマスリース５１１とした。
図５−２（ａ）に示すものは、五角形のプレート部分５１２ｋ外周縁に部分的に輪状部５
１２ｇを突出して形成したことにより案内孔５１２ｅを設けた保持体５１２ｃの正面図で
ある。図５−２（ｂ）は、図５−２（ａ）に示した保持体５１２ｃに、袋体１１４ｄを、
案内孔５１２ｅに通して略環状に装着し収納部付クリスマスリース５１２としたものの一
部を透視した状態での正面図である。この場合、プレート部分５１２ｋの外周縁部分と、
輪状部５１２ｇにより形成された案内孔５１２ｅが、直接袋体１１４ｄと接触し保持して
おり保持本体部分５１２ｆであるといえる。つまり、保持本体部分５１２ｆが案内孔５１
２ｅを有することを特徴とした収納部付クリスマスリース５１２とした。前記袋体１１４
ｄは、当然被収納物を収納した状態で保持体５１１ｃや保持体５１２ｃに装着してなる。
図５−１（ｂ）や図５−２（ｂ）に示した方法以外の取付方法により前記案内孔５１１ｅ
や５１２ｅを利用し袋体１１４ｄを装着してもよいこととする。案内孔５１１ｅや案内孔
５１２ｅは、その一部に切り欠き部や切れ込み部等による袋体差込部を設けたものであっ
てもよく、前記袋体差込部を利用し案内孔５１１ｅや案内孔５１２ｅに袋体１１４ｄを差
込み装着してもよい。又、保持体５１１ｃのプレート部分５１１ｋは設けても設けなくと
もよい。以上、図５−１（ａ）や図５−２（ａ）に示した案内孔５１１ｅや案内孔５１２
ｅの存在により袋体１１４ｄを簡便に装着することが出来、誰がやっても均一にきれいな
仕上がりとなる上、案内孔５１１ｅや案内孔５１２ｅがリング部を構成するデザインの一
部となってリング部のデザインを決定する役割を有し案内孔５１１ｅや案内孔５１２ｅと
袋体１１４ｄの存在が相まって見た目にもデザイン性に優れた斬新な印象のものとなる。
【００３６】
請求項６に係る実施形態を図６−１、図６−２により説明する。
図６−１（ａ）に示す保持体６１１ｃは、先の図１−１（ａ）に示した保持体１１１ｃ
と同様の形状の保持体であって、保持体６１１ｃにおいて保持本体部分６１１ｅ以外の箇
所であって保持本体部分６１１ｅより少し離れた内側寄りの中央部分の位置に存在する八
角形のプレート部分６１１ｈのみを切り離す為の破線６１１ｍを予め入れておくことによ
り、必要に応じプレート部分６１１ｈを分離可能としたものである。図６−１（ｂ）は、
図６−１（ａ）に示した破線６１１ｍにより保持体６１１ｃの一部であるプレート部分６
１１ｈを取り外し分離した状態の斜視図である。保持体６１１ｃに、直接袋体を保持する
保持本体部分６１１ｅ以外の部分であって八角形のプレート部分６１１ｈを分離可能とす
る為の手段として破線６１１ｍを予め入れておくことで、保持体６１１ｃのうち保持本体
部分６１１ｅ以外の箇所であるプレート部分６１１ｈは、あったほうが被収納物の重さ等
の条件によっては保持体６１１ｃの強度がより安定する場合や保持本体部分６１１ｅ以外
の箇所に絵を印刷するなどデザイン的に存在したほうがよい場合保持本体部分補強部とし
ての役割も兼ねて付けておき、必要でなければプレート部分６１１ｈを分離し保持体６１
１ｃの全体形状を略環状の保持体６１１ｃとしてもよい。プレート部分６１１ｈには、予
め絵を印刷しておき、破線６１１ｍによりプレート部分６１１ｈを分離し、シーズン中飾
っておいたり、紙製で比較的小さいものであれば、コースターとして利用してもよい。
図６−２（ａ）は、先の図１−３（ａ）に示した細長部材により作成した保持体１１２ｃ
の一部である保持本体部分１１２ｅを含めた保持本体部分１１２ｅ周辺部を分離や着脱可
能な構造として作成した保持体６１２ｃであって、保持本体部分６１２ｅを含む保持本体
部分６１２ｅ周辺部のみ、キャップ式のさやにより保持体６１２ｃより取り外し分離した
状態を示した分解図である。図６−２（ｂ）は、先の図６−２（ａ）に示した保持体６１
２ｃの保持本体部分６１２ｅを含む保持本体部分６１２ｅ周辺部のみを取り外し分離した
状態に、別の取付手段としてのクリップ６１３ｇを設けた保持本体部分６１３ｅを含む保
持本体部分６１３ｅ周辺部をやはりキャップ式のさやにより着脱可能に取り付けて保持体
６１３ｃとした正面図である。図６−２（ａ）及び図６−２（ｂ）に示したように、保持
体６１２ｃの一部である保持本体部分６１２ｅを含む保持本体部分６１２ｅ周辺部を着脱
や分離可能としておくことで、例えば、保持体と袋体の着脱もしくは分離の形態や保持体
に装着する袋体の大きさや形状の変更に応じて、保持体６１２ｃ全体を改めて作り直すこ
となく、保持本体部分６１２ｅを含めたその周辺部のみ、別の保持本体部分６１３ｅとし
たものに付け替え保持体６１３ｃとしただけで、袋体の状態や着脱もしくは分離の形態の
変更に適応可能となり、非常に使い勝手のよいものとした。尚、図６−２（ａ）及び図６
−２（ｂ）に示した保持体６１２ｃや保持体６１３ｃにおいては、保持本体部分６１２ｅ
周辺部や保持本体部分６１３ｅ周辺部をキャップ式としたさやの穴部分を細長部材にはめ
込んで着脱可能な手段としたものであるが、この他の方法を用いて保持本体部分６１２ｅ
周辺部や保持本体部分６１３ｅ周辺部を着脱や分離が可能としてもよい。
【００３７】
請求項７に係る実施形態を図７−１に基づいて説明する。
図７−１（ａ）は正面側からみた全体形状を周方向に略環状に形成した保持体７１１ｃ
の斜視図である。図７−１（ｂ）は、図１−４（ｄ）において示した袋体１１５ｄと同様
に長手方向の一方端と他方端を両方共開閉自在な開口部７１１ｆとして作成した袋体７１
１ｄ内部の収納部７１１ｂに被収納物７１１ｈを収納した状態を一部切欠して表した状態
の斜視図である。図７−１（ｃ）は、図７−１（ａ）に示した保持体７１１ｃを芯部とし
て利用し、図７−１（ｂ）に示した袋体７１１ｄを、保持体７１１ｃに沿って径方向に回
転させながら螺旋状（コイル状）に巻き付けてゆく様子を示した作成図である。図７−１
（ｂ）及び図７−１（ｃ）において示すように、袋体７１１ｄ内部は、被収納物７１１ｈ
を収納する収納部７１１ｂで、袋体７１１ｄの一方端は端部に可撓性を有するシート部材
１１１ａを折り返して縁部を縫製することで紐体７１１ｐを通すための周穴７１１ｇを形
成し、他方端も同様にして折り返して縁部を縫製することで周穴７１１ｇを形成しており
、この周穴７１１ｇはそれぞれ紐体７１１ｐ取り出し用の口を設けて成る。図７−１（ｂ
）及び図７−１（ｃ）に示した紐体７１１ｐは引っ張って袋体７１１ｄの一方端と他方端
の開口部７１１ｆをすぼめたり緩めて開けたりして開閉する開閉部材として利用する他、
長尺状の袋体７１１ｄを保持体７１１ｃ全体に巻装した後一方端と他方端を互いに結びつ
ける接続手段や、保持体７１１ｃに着脱可能に取り付ける取付手段としての部材としても
利用出来、図７−１（ｄ）に示すように紐体７１１ｐを蝶結びに結びつけ、収納部付クリ
スマスリース７１１のオーナメントとして利用してもよい。図７−１（ｄ）は、以上の様
にして袋体７１１ｄの全体形状を略環状とした収納部付クリスマスリース７１１を完成し
た完成時の全体の様子を一部透視した状態で表わした斜視図である。
以上、図７−１（ａ）から図７−１（ｄ）に示したように、保持体７１１ｃを略環状の芯
部として形成し、袋体７１１ｄを図７−１（ｄ）のように装着した状態において保持体７
１１ｃ全体に装着するのに適した長手方向の長さに製し、前記袋体７１１ｄ内部の収納部
７１１ｂに被収納物７１１ｈを収納した状態で、袋体７１１ｄを前記保持体７１１ｃを芯
部として利用し保持体７１１ｃに沿って一定方向に巻きつけてゆき袋体７１１ｄの全体形
状を略環状に装着したことで、袋体７１１ｄと保持体７１１ｃによりボリューム感のある
リング部の収納部付クリスマスリース７１１とした。略環状に形成した保持体７１１ｃは
、この場合、保持体７１１ｃ全体が保持本体部分７１１ｅであり、保持体７１１ｃを袋体
７１１ｄを巻装するための芯部として利用し袋体７１１ｄを装着する。袋体７１１ｄ内部
の被収納物７１１ｈの存在と、袋体７１１ｄを保持体７１１ｃ全体に径方向に螺旋状（コ
イル状）に巻きつけるという作成条件により、保持体７１１ｃ自体は細くて単純な形状で
あるにもかかわらず、保持体７１１ｃに袋体７１１ｄを装着し収納部付クリスマスリース
７１１として仕上げた状態において、ボリューム感があり、又、長尺状の袋体７１１ｄを
保持体７１１ｃ全体にらせん状（コイル状）に巻きつけてリング部とすることにより、今
までにない斬新な見栄えのする外観や構造を呈するリング部を有する収納部付クリスマス
リース７１１を提供する。更に、保持体７１１ｃを芯部としての簡単かつ簡素な形状に形
成できることから保持体７１１ｃにかかるコストが少なく、本発明の収納部付クリスマス
リース７１１の全体にかかる作成費用を安く仕上げることが出来る。
【００３８】
請求項７に係る別の実施形態を図７−２に基づいて説明する。
図７−２（ａ）は保持体７１２ｃを略環状に形成し、先の図１−４（ｂ）において示し
た長尺状の袋体１１３ｄを略環状に装着する際の案内棒としての突起７１２ｇを複数個等
間隔に設けたことを特徴としたものの一例を表わした斜視図である。図７−２（ｂ）は図
７−１（ａ）に示した前記保持体７１２ｃを芯部として利用し、前記袋体１１３ｄ内に被
収納物を入れた状態で、前記袋体１１３ｄを前記保持体７１２ｃに、案内棒としての突起
７１２ｇの存在を利用し突起７１２ｇの間隔に合わせて突起７１２ｇを間に挟みながら螺
旋状に保持体７１２ｃ全体に巻き付け袋体１１３ｄの全体形状が略環状となるように装着
したことにより保持体７１２ｃに袋体１１３ｄを備えて、収納部付クリスマスリース７１
２とした完成時の全体の様子を表わした斜視図である。この場合、保持体７１２ｃ全体が
袋体１１３ｄと直接接触し保持している為、保持本体部分７１２ｅに該当し、保持本体部
分７１２ｅに案内棒としての突起７１２ｇを設けた保持体７１２ｃとなる。袋体１１３ｄ
は、長手方向の長さを保持体７１２ｃに巻きつけて装着した状態において保持体７１２ｃ
全体に巻装できる長さとし袋体１１３ｄの一方端と他方端に設けた帯状の布体１１３ｆを
利用し、図７−２（ｂ）に示すように保持体７１２ｃに絡ませて取り付け互いに蝶結びに
結び付けて縛ることにより袋体１１３ｄの一方端と他方端を処理しつつ仕上げてなる。前
記布体１１３ｆは、袋体１１３ｄの一方端と他方端を結びつける接続手段としての部材で
あると共に保持体７１２ｃに袋体１１３ｄを取り付ける取付手段としての部材であり更に
、収納部付クリスマスリース７１２のリボンとしてオーナメントの役割も兼ねてなる。前
記保持体７１２ｃに設けた案内棒としての突起７１２ｇの存在を利用し、前記案内棒とし
ての突起７１２ｇの間隔に合わせて保持体７１２ｃに沿って前記袋体１１３ｄを保持体７
１２ｃに対して一定の方向に回しながら巻き付け装着することで、素人であっても誰がや
っても同じ間隔に巻きつけることが出来、きれいな仕上がり具合に装着できる。突起７１
２ｇは、袋体１１３ｄを螺旋状に回転させながら巻きつけて装着する際の回転の幅や間隔
を定める目安や目印となり、袋体巻付けの際の補助軸としても利用し袋体１１３ｄをきれ
いに全体的に偏りなくバランスのとれた巻き方を補助する役割を果たすものである。
【００３９】
請求項７に係る更に別の実施形態の例を図７−３に基づき説明する。
図７−３（ａ）は先の図１−４（ｂ）に示した長尺状の袋体１１３ｄを略環状に装着す
る為の案内孔７１３ｇを、円盤状に形成したプレートの外周寄りの位置において、等間隔
に設けた、保持体７１３ｃの全体の様子を表わした斜視図である。図７−３（ｂ）は、前
記袋体１１３ｄを、図７−３（ａ）に示した保持体７１３ｃに設けた案内孔７１３ｇに通
しながら保持体７１３ｃに沿って径方向に巻きつけてゆき、保持体７１３ｃ全体に袋体１
１３ｄを装着したあと、帯状の布体１１３ｆを利用し互いに結び付け袋体１１３ｄの一方
端と他方端を接続したことにより、保持体７１３ｃに袋体１１３ｄをその全体形状が略環
状となるように装着し、保持体７１３ｃと袋体１１３ｄを備えて収納部付クリスマスリー
ス７１３として仕上げた全体の様子を表わした斜視図である。この場合、保持体７１３ｃ
に設けた案内孔７１３ｇを形成している保持体７１３ｃ外周寄りの袋体１１３ｄと接して
いる部分が全体が保持本体部分７１３ｅである。このように保持体７１３ｃにほぼ等間隔
に案内孔７１３ｇを設け、前記案内孔７１３ｇに前記袋体１１３ｄを通して保持体７１３
ｃの径方向に螺旋状に巻き付け保持体７１３ｃ全体に装着することにより、素人でも撓み
なくきれいに簡単に袋体１１３ｄをその全体形状が略環状となるように安定した状態でず
れたり外れたりすることなくしっかりと装着し収納部付クリスマスリースリース７１３を
完成させることが可能である上、デザイン面においても、案内孔７１３ｇの存在と前記案
内孔７１３ｇに袋体７１３ｄを通して保持体７１３ｃ全体に螺旋状に巻き付けて装着する
という作成条件により、斬新で見栄えのするものとなる。前記袋体１１３ｄには当然、被
収納物を入れた状態で巻装してなり、袋体１１３ｄは、長手方向の長さを保持体７１３ｃ
に巻きつけて装着した状態において保持体７１３ｃ全体に巻装できる長さとし、幅は前記
案内孔７１３ｇに被収納物を入れて装着した場合に通る大きさのものとする。尚、第七実
施形態においては、前記案内棒としての突起７１２ｇや案内孔７１３ｇを保持体に等間隔
に設けて成るが、デザインによっては、必ずしも等間隔に設けなくともよい。
【００４０】
請求項８に係る実施形態を図８−１及び図８−２に基づいて説明する。図８−１は、本
発明の収納部装飾用付リースの保持体又は取付手段、としての部材のうち少なくとも一部
を、クリスマス又はハロウィーン等の年中歳事に適した形状に模したものである。図８−
１（ａ）は保持体８１１ｃを正面から見てやや平べったい形状の立体的なサンタクロース
の人形に模した収納部付クリスマスリース８１１の全体を表した正面図である。前記保持
体８１１ｃの一部であってサンタクロースの人形の帽子の上部の一部と両手の手袋の部分
と楕円形のスノーボードに模した台座部の底の部分を保持本体部分８１１ｅとし、前記保
持本体部分８１１ｅには、保持体８１１ｃと先の図１−１に示した袋体１１１ｄと同様の
袋体８１１ｄとを互いに分離や着脱可能に取り付ける取付手段として面ファスナー（メス
）８１１ｇａを設け、袋体８１１ｄにも対応する位置に面ファスナー８１１ｇｂ（オス）
を設け前記保持体８１１ｃと袋体８１１ｄを互いに分離や着脱可能としてある。図８−１
（ｂ）は、図８−１（ａ）の部分拡大図であり、保持本体部分８１１ｅであってサンタク
ロースの人形に模した保持体８１１ｃの帽子の上部に面ファスナー（メス）８１１ｇａを
、対応する袋体の一部に面ファスナー（オス）８１１ｇｂを取り付けてなる。図８−１（
ｃ）は先の図１−７において示した保持体１１７ｃ及び保持本１１７ｃの一部に設けた取
付手段としての部材としてのクリップ１１７ｇを、雪の結晶の形状に模した保持体８１２
ｃ及びクリップ８１２ｇとして形成した収納部付クリスマスリース８１２の正面図である
。図８−１（ｄ）は、先の図１−８（ｂ）において示した留め具１１８ｇに設けた係止ボ
タン１１８ｆを、ハロウィーンリースに適した形状に模した係止ボタン８１３ｆとして形
成した各留め具８１３ｇを設けた収納部付ハロウィーンリース８１３の様子を表わした斜
視図である。クリスマスリースやハロウィーンリース等に適した形状に模した保持体８１
１ｃ等は、袋体８１１ｄ等を保持体８１１ｃ等に装着した状態において、又は、袋体８１
１ｄ等を保持体８１１ｃ等より分離し保持体８１１ｃ等や取付手段としての部材として留
め具８１３ｇ等のみの状態でそれぞれクリスマスやハロウィーンの室内飾りのオーナメン
トやアクセサリーやマスコット等の装飾品として利用可能としたものである。
【００４１】
図８−２はその使用例を示した図である。保持体８１１ｃ等は単体でも室内に置いたり窓
辺や壁にかけて壁飾りとして利用するなど装飾品として利用可能であり、図８−２に示す
保持体８１１ｃは、先の図８−１（ａ）に示した保持体８１１ｃを取付手段としての部材
を介して、袋体８１１ｄを保持体８１１ｃより分離し、保持体８１１ｃは、それ自体では
、スノーボートに模した台座部に立ってポーズを決めているサンタクロースの置物として
利用が可能である。図８−２に示す保持体８１２ｃは、着脱や分離可能な取付手段として
の部材であるクリップ８１２ｇを含む保持体８１２ｃ全体を雪の結晶に模して形成してあ
るため、窓辺に飾ってクリスマスシーズンに利用可能なオーナメントとして、図８−２に
示す留め具８１３ｇは、先の図８−１（ｄ）に示した保持体８１３ｃや袋体８１３ｄより
留め具８１３ｇを取り外して分離し、留め具８１３ｇをカーテンの留め具として利用した
りかばん等にぶら下げて係止ボタン８１３ｆをアクセサリーとして飾り付けた例を示した
使用例である。この他、ドアノブにぶら下げたりして飾り付ける等、室内や身の回りの雑
貨や日用品の装飾品の他、車内等のアクセサリーとして使用してもよい。保持体８１３ｃ
や袋体８１３ｄとは、別体の取付手段としての部材８１３ｇは、それ自体がハロウィーン
の時期に利用や使用が可能な室内装飾品やアクセサリーやマスコット用品となる。
【００４２】
請求項９に係る実施形態を図９−１及び図９−２に基づいて説明する。
図９−１に示すものは、先の図４−１に示した収納部付クリスマスリース４１１と同じく
袋体を略環状に装着するための案内棒としての突起を保持本体部分に設けて成る収納部付
クリスマスリース９１１を作成するための収納部付装飾用リース製作キットである。主に
図９−１（ａ）及び図９−１（ｂ）に示す保持体９１１ｃとしての部材と、図９−１（ｃ
）及び図９−１（ｄ）に示す鈴飾り９１１ｆと、図９−１（ｅ）に示す袋体９１１ｄを作
成するための部材とに分かれており、保持体９１１ｃは図９−１（ａ）に示す透明部材に
よる円形状のプレート部分９１１ｐの外周縁の保持本体部分９１１ｅに設けた案内棒とし
ての突起９１１ｇの台座部９１１ｇａと、図９−１（ｂ）に示す、前記台座部９１１ｇａ
に被せて一体ずつ着脱可能に取り付けるものであってクリスマスリースに適した形状とし
てポインセチアの花の形状及びカラーボールの形状及び星の形状に模した三種類からなる
突起上位部９１１ｇｂとのパーツに分かれている。図９−１（ｃ）に示す鈴飾り９１１ｆ
は袋体９１１ｄを保持体９１１ｃに装着した場合において前記袋体９１１ｄの一方端と他
方端を接続する部材であると共に収納部付クリスマスリース９１１のオーナメントの役割
も兼ねた部材として鈴飾り９１１ｆ裏側には安全ピン９１１ｆａを図９−１（ｄ）に示す
ように取り付けて成る。図９−１（ｄ）は鈴飾り９１１ｆ裏側の様子を表したものである
。図９−１（ｅ）に示す袋体９１１ｄのパーツは、前記保持体９１１ｃの保持本体部分９
１１ｅに装着した際にぴったりと収まるように、可撓性を有するシート部材９１１ａを長
尺状の袋体９１１ｄとして製する際の長手方向の寸法及び長手方向の一方端と他方端の寸
法を予め計算して決定し裁断し、長手方向に沿った一方側の縁及び、長手方向の左右両端
における一方端及び他方端をそれぞれ折り返したり縫い合わせて閉じた状態としたものを
袋体９１１ｄのパーツとしたものである。製作キット購入者や作成者が図９−１（ｅ）に
示すように袋体９１１ｄ内部の収納部９１１ｂに被収納物９１１ｈを収納し、縫いしろ９
１１ｓに設けた点線に沿って縫い合わせて仕上げるものとした。袋体９１１ｄには被収納
物９１１ｈをバランスよく収納するための接合部として接合線９１１ｋを設けて成る。
【００４３】
図９−２は図９−１に示した収納部付クリスマスリース装飾用製作キットを使用して収
納部付クリスマスリース９１１を完成させた状態を正面からみた完成図である。
購入者は図９−１（ａ）及び図９−１（ｂ）に示した保持体９１１ｃを構成する各パーツ
を組み立て、図９−１（ｅ）に示した袋体９１１ｄ内部の収納部９１１ｂに被収納物９１
１ｈを収納し縫いしろ部分９１１ｓを縫い合わせて長尺状の袋体９１１ｄとして完成させ
、前記保持体９１１ｃに、案内棒としての突起９１１ｇを利用し、前記袋体９１１ｄを突
起９１１ｇの間を左右に交互にくねらせながら通して突起９１１ｇを挟みこみながらはめ
込み略環状に装着し、仕上げに図９−１（ｃ）及び９−１（ｄ）に示した鈴飾り９１１ｆ
を取り付けて収納部付クリスマスリース９１１を完成させる。このような、主に保持体９
１１ｃと袋体９１１ｄと鈴飾り９１１ｆからなる製作キットは、使用者や購入者が、仕上
がったときに不具合がないように例えば予め袋体９１１ｄを製作する可撓性を有するシー
ト部材９１１ａのサイズを保持体９１１ｃに装着した時にぴったりと収まるように計算し
てパーツとしてあるため、素人であっても失敗なくきれいな仕上がり具合となる。その上
、収納部付クリスマスリース９１１を作成するのに必要な材料をわざわざ買い揃える手間
が省けるとともに、必要な材料のみ予め用意された製作キットであるからして、材料の無
駄をなくし、材料費を安く抑えることが出来る。尚、図９−１の収納部付クリスマスリー
ス製作キットにおいては、保持本体部分９１１ｅに案内棒としての突起９１１ｇを設ける
という構成要素や袋体９１１ｄに接合部として接合線９１１ｋを設けてなる構成要素の他
にも保持体９１１ｃのプレート部分９１１ｐを透明部材とした構成要素や、保持体９１１
ｃを分離又は着脱可能な二つ以上の部材により構成してなる他、保持体９１１ｃの一部を
クリスマスリースに適した形状に模した構成要素を含んだ製作キットとした。
【００４４】
以上、本発明の収納部付装飾用リースについての実施形態を図面に基づき記述したが、上
記の実地形態に限られるものではなく、様々な形態の変形例が本願特許請求の範囲内にお
いて可能である。収納部付装飾用リース製作キットについても、図９−１において示した
収納部付装飾用リース製作キットの他、図１−２において示した収納部付装飾用リース１
１１や、図７−１に示した収納部付装飾用リース７１１等の組み立て前の各パーツを揃え
て収納部付装飾用リース製作キットとしてもよい。
【符号の説明】
【００４５】
１１１    収納部付クリスマスリース
１１１ａ  可撓性を有するシート部材
１１１ｂ  収納部
１１１ｃ  保持体
１１１ｄ  袋体
１１１ｅ  保持本体部分
１１７ｇ  取付部材としてのクリップ
２１１    収納部付クリスマスリース
２１１ｃ  保持体
２１１ｋ  透明部材
３１１ａ  可撓性を有するシート部材
３１１ｂ  収納部
３１１ｄ  袋体
３２１    接合部
４１１    収納部付クリスマスリース
４１１ｃ  保持体
４１１ｅ  案内棒としての突起
４１１ｆ  保持本体部分
５１１    収納部付クリスマスリース
５１１ｃ  保持体
５１１ｅ  案内孔
５１１ｆ  保持本体部分
６１１    収納部付クリスマスリース
６１１ｃ  保持体
６１１ｈ  プレート部分
７１１    収納部付クリスマスリース
７１１ａ  可撓性を有するシート部材
７１１ｃ  略環状に形成した保持体
７１１ｄ  長尺状とした袋体
８１１    収納部付クリスマスリース
８１１ｃ  サンタクロースの人形に模した保持体
８１３ｇ  ハロウィーンに適した任意の形状に模した取付手段としての部材
９１１ｃ  収納部付装飾用リース製作キットとしての保持体
９１１ｄ  収納部付装飾用リース製作キットとしての袋体
９１１    収納部付装飾用リース製作キットによる収納部付クリスマスリース
【図１−１】
2015202224.tif 000003
【図１−２】
2015202224.tif 000004
【図１−３】
2015202224.tif 000005
【図１−４】
2015202224.tif 000006
【図１−５】
2015202224.tif 000007
【図１−６】
2015202224.tif 000008
【図１−７】
2015202224.tif 000009
【図１−８】
2015202224.tif 000010
【図２−１】
2015202224.tif 000011
【図３−１】
2015202224.tif 000012
【図３−２】
2015202224.tif 000013
【図４−１】
2015202224.tif 000014
【図５−１】
2015202224.tif 000015
【図５−２】
2015202224.tif 000016
【図６−１】
2015202224.tif 000017
【図６−２】
2015202224.tif 000018
【図７−１】
2015202224.tif 000019
【図７−２】
2015202224.tif 000020
【図７−３】
2015202224.tif 000021
【図８−１】
2015202224.tif 000022
【図８−２】
2015202224.tif 000023
【図９−１】
2015202224.tif 000024
【図９−２】
2015202224.tif 000025
【手続補正書】
【提出日】平成26年12月2日(2014.12.2)
【手続補正１】
【補正対象書類名】特許請求の範囲
【補正対象項目名】請求項１
【補正方法】変更
【補正の内容】
【請求項１】
クリスマスリース又はハロウィーンリース等の装飾用リースを、可撓性を有するシート
部材で直接側部分を製された袋体と、前記袋体を装飾用リースのリング部としての所望の
略環状となるように保持するための保持体とで構成し、前期袋体の内部を被収納物を収納
可能な収納部とし、前記保持体は少なくともその一部に前記袋体を直接装着し保持する保
持本体部分を設け、前記保持本体部分は前記収納部に被収納物を収納した状態で前記保持
本体部分を利用し前記袋体を前記保持体に装着した状態で壁やドア等に掛けたり吊るした
りしての使用時において前記袋体全体の形状が装飾用リースとしての所望の略環状に保持
できる位置であって変形しない程度の硬性を有するものとして設けられており、前記収納
部に被収納物を収納した状態の前記袋体を前記保持本体部分に装着し保持することにより
装飾用リースのリング部を兼ねた前記袋体外観の形状を決定することを特徴としたもので
、前記袋体と前記保持体は互いに接合されているか、又は、前記袋体と前記保持体を互い
に着脱もしくは分離可能に取り付ける取付手段を前記袋体もしくは保持体の少なくとも一
方に設け又は別体の部材として設けたことにより前記袋体と前記保持体を互いに着脱もし
くは分離可能とした、収納部付装飾用リース。